(57)【要約】  本発明は、気流を発生させるためのまたは流体をディスペンスするための装置（２）のためのアタッチメント（１）に関し、アタッチメント（１）は、少なくとも部分的に人間又は動物の外耳道（３）に導入されるように設計されており、アタッチメント（１）は、気流を発生させるための装置（２）にアタッチメント（１）を接続するための接続ピース（４）と、気流を発生させるための装置（２）から接続ピース（４）を介して流出する空気を導くための舌型ガイドベーン（５）とを含み、前記ガイドベーン（５）は、底面（２５）を有している。
2021531145.tif 000002
【特許請求の範囲】
【請求項１】
気流、好ましくは暖気流発生、又は流体導入用装置（２）用として使用され、少なくとも部分的に人間又は動物の外耳道（３）に挿入され、
−気流発生装置（２）との接続用接続支持体（４）と、
−気流発生装置（２）からの排気用に空気を導くガイドスクープ底面（２５）を有する舌形ガイドスクープ（５）とを備え、
さらに、ガイドスクープ（５）の第１セクション（５ａ）のガイドスクープ底面（２５）縦断面のプロファイルが、第１の方向に湾曲し、ガイドスクープ（５）の第２セクション（５ｂ）のガイドスクープ底面（２５）縦断面のプロファイルは第２の方向に湾曲し、これら両者の湾曲したセクション（５ａ、５ｂ）が逆向きに反った面をなす、湾曲したプロファイルをなすアタッチメント。
【請求項２】
第１セクション（５ａ）と第２セクション（５ｂ）が直結して推移することを特徴とする、請求項１に記載のアタッチメント（１）。
【請求項３】
耳漏斗（１８）が舌形ガイドスクープ（５）を少なくとも部分的に、好ましくは全長にわたって、その長さに応じて包含し、近位開口部（１９）を有する、アタッチメント（１）に耳漏斗（１８）を含むことを特徴とする、請求項１又は２に記載のアタッチメント（１）。
【請求項４】
アタッチメント（１）の縦断面について見ると、ガイドスクープ底面（２５）がアタッチメント（１）の縦軸（１２）と交わり、この縦軸（１２）が縦断面と直交する接続支持体（４）の横断面の中心を通ることを特徴とする、請求項１から３のいずれか一項に記載のアタッチメント（１）。
【請求項５】
アタッチメント（１）の縦断面について見ると、ガイドスクープ底面（２５）が耳漏斗（１８）の縦軸（１２）と交わり、この縦軸（１２）が耳漏斗（１８）の近位開口部（１９）の中心を通ることを特徴とする、請求項３から４のいずれか一項に記載のアタッチメント（１）。
【請求項６】
耳漏斗（１８）の縦軸（１２）がアタッチメント（１）の縦軸（１２）と一致していることを特徴とする、請求項５に記載のアタッチメント（１）。
【請求項７】
舌形ガイドスクープ（５）は、ガイドスクープ底面（２５）から突出した２つのガイドスクープの縁を持つ、すなわち、第１のガイドスクープの縁（２６）と第２のガイドスクープの縁（２７）を持ち、この場合、ガイドスクープ底面（２５）とガイドスクープの縁（２６、２７）が気流発生装置（２）からの排気用経路又は経路の一部を成すことを特徴とする、請求項１から６のいずれか一項に記載のアタッチメント（１）。
【請求項８】
第１のガイドスクープの縁（２６）はガイドスクープ底面（２５）の第１の縦方向縁から、また、第２のガイドスクープの縁（２７）が第１の縦方向縁と対向するガイドスクープ底面（２５）の第２の縦方向縁から突出していることを特徴とする、請求項７に記載のアタッチメント（１）。
【請求項９】
舌形ガイドスクープ（５）が接続支持体（４）から突出し、好ましくは接続支持体（４）の中を通るセクション（５ｃ）から突出していることを特徴とする、請求項１から８のいずれか一項に記載のアタッチメント（１）。
【請求項１０】
舌形ガイドスクープ（５）全体が耳漏斗（１８）及び／又は接続支持体（４）の中に配置されていることを特徴とする、請求項３から９のいずれか一項に記載のアタッチメント（１）。
【請求項１１】
耳漏斗（１８）が接続支持体（４）から耳漏斗（１８）の近位開口部（１９）へ向かって逓減的に細くなることを特徴とする、請求項３から１０のいずれか一項に記載のアタッチメント（１）。
【請求項１２】
ガイドスクープ（５）の近位末端部（７）、好ましくはガイドスクープ底面（２５）の近位末端部（７ａ）が本質的に耳漏斗（１８）の近位開口部（１９）と一体となっていることを特徴とする、請求項３から１１のいずれか一項に記載のアタッチメント（１）。
【請求項１３】
ガイドスクープ（５）の近位末端部（７）、好ましくはガイドスクープ底面（２５）の近位末端部（７ａ）が、耳漏斗（１８）の近位開口部（１９）をアタッチメント（１）から出て耳道（３）に出て流出開口部（２２）と耳道（３）からアタッチメント（１）に流れ込む空気の流入開口部（２３）に分割することを特徴とする、請求項１２に記載のアタッチメント（１）。
【請求項１４】
舌形ガイドスクープ（５）は、耳漏斗（１８）の内部容量をアタッチメント（１）から耳道（３）に入る空気の入気路（２０）と耳道（３）からアタッチメント（１）への排気路（２１）に分割し、この場合、好ましくは入気路（２０）が接続支持体（４）を流出開口部（２２）と連絡し、さらにこの場合、好ましくは排気路（２１）が流入開口部（２３）をアタッチメント（１）の排出口（２４）と連絡することを特徴とする、請求項３から１３のいずれか一項に記載のアタッチメント（１）。
【請求項１５】
入気路（２０）の横断面が流れる方向に進むにつれて（逓減的に）細くなることを特徴とする、請求項１４に記載のアタッチメント（１）。
【請求項１６】
アタッチメント（１）の排出口（２４）が耳漏斗（１８）の筐体壁面の、好ましくは耳漏斗（１８）の接続支持体（４）の直前にあるセクションの開口部を通ることを特徴とする、請求項３から１５のいずれか一項に記載のアタッチメント（１）。
【請求項１７】
以下の３つの点を特徴とする、請求項３から１６のいずれか一項に記載のアタッチメント（１）： 
−接続支持体（４）とガイドスクープ（５）が一体であり、好ましくは耳漏斗（１８）とユニットとして接続されている、又は
−耳漏斗（１８）とガイドスクープ（５）が一体であり、好ましくは接続支持体（４）とユニットとして接続されている、又は
−接続支持体（４）、ガイドスクープ（５）、耳漏斗（１８）が一体である、アタッチメント（１）。
【請求項１８】
接続支持体（４）が耳漏斗（１８）の終端部分から形成されていることを特徴とする、請求項３から１７のいずれか一項に記載のアタッチメント（１）。
【請求項１９】
気流発生装置（２）と、前記請求項のいずれかに係るアタッチメント（１）を備える、耳乾燥装置。
【請求項２０】
流体導入用装置と、請求項１から１８のいずれか一項に記載のアタッチメント（１）とを備える、人間若しくは動物の外耳道のケア又は治療用装置。
【請求項２１】
接続支持体（４）がアタッチメント（１）を旋回可能に装置（２）と接続するように作られていることを特徴とする、請求項１から１８のいずれか一項に記載のアタッチメント（１）。
【請求項２２】
アタッチメント（１）を特定の旋回位置で装置（２）に固定するために、接続支持体（４）の筐体外面に少なくとも１つの凹部（３２）があり、この凹部（３２）が装置（２）の少なくとも１つのロック凸部（３３）と嵌合可能であることを特徴とする、請求項２１に記載のアタッチメント（１）。
【請求項２３】
アタッチメント（１）を異なる旋回位置で装置（２）に固定するために、複数の凹部（３２）が接続支持体（４）の筐体外面に相互に間隔を置いて配置されていることを特徴とする、請求項２２に記載のアタッチメント（１）。
【請求項２４】
凹部（３２）どうしが角度間隔１８０°、好ましくは９０°、特に好ましくは４５°で配置されていることを特徴とする、請求項２３に記載のアタッチメント（１）。
【請求項２５】
装置（２）から出る液体に渦流を起こすために、ガイドスクープ底面（２５）から突出した少なくとも１つの流入エレメント（３５）を有することを特徴とする、請求項１から１８、２１から２４のいずれか一項に記載のアタッチメント（１）。
【請求項２６】
相互に対向してガイドスクープ底面（２５）に配置されている少なくとも２つの、好ましくは平坦な流入エレメント（３５）を持つことを特徴とする、請求項２５に記載のアタッチメント（１）。
【請求項２７】
流入エレメント（３５）が三角形、好ましくは直角三角形であることを特徴とする、請求項２５又は２６のいずれか一項に記載のアタッチメント（１）。
【請求項２８】
流入エレメント（３５）の接続支持体に向かっている流入面が斜めに傾いて向かい合ったプロファイルをなすことを特徴とする、請求項２６又は２７のいずれか一項に記載のアタッチメント（１）。
【請求項２９】
接続支持体（４）側から見たとき、向かい合っている流入エレメント（３５）の間隔がアタッチメント（１）の奥に向かうにつれて逓減することを特徴とする、請求項２６から２８のいずれか一項に記載のアタッチメント（１）。
【請求項３０】
ガイドスクープ底面（２５）が少なくともガイドスクープ（５）の第２の縦方向セクション、好ましくは第２セクション（５ａ）の領域において、ガイドスクープ（５）の第１の縦方向セクション、好ましくはその第１セクション（５ｂ）に対して回った位置にあることを特徴とする、請求項１から１８及び２１から２９のいずれか一項に記載のアタッチメント（１）。
【請求項３１】
請求項７に依存する範囲で、第１のガイドスクープの縁（２６）と第２のガイドスクープの縁（２７）の高さが異なることを特徴とする、請求項７から１８、２１から３０のうち一項目に該当するアタッチメント（１）。
【発明の詳細な説明】
【技術分野】
【０００１】
本発明は、気流、好ましくは暖気流発生装置又は流体導入装置用であって、外耳道に貯留した水分を乾燥させて除去するために、人間又は動物の外耳道に少なくとも部分的に挿入する構造を持つアタッチメントに関する。
【０００２】
さらに、本発明は、気流発生装置及び本発明に係るアタッチメントから成る耳乾燥装置に関する。
【０００３】
本発明はさらに、人間若しくは動物の外耳道のケア又は治療用装置に関する。
【背景技術】
【０００４】
根治的乳様突起切除術のため、又は鼓膜の穿孔又は他の外耳道疾患のためであるかを問わず、慢性的に湿った耳道に悩む患者又は補聴器ユーザーの場合、外耳道から水分を効率的に除去できないという問題にしばしば直面する。さらに、入浴中、シャワー中、又は水泳中に、水が耳道に侵入し、聴力低下につながる場合もある。また、細菌や微生物、汚れが外耳道に容易に侵入し、炎症を起こす可能性があり、こうした場合には液体の貯留を迅速に除去することが必要になる。
【０００５】
しかしながら先行技術においては、危険を伴わずにこのような除去を効率的に行うことができるような装置は未だ知られていない。例えば、外耳道を乾燥させるための気流を耳道に導入することは知られている。外耳道に挿入可能な気流発生装置用のアタッチメントとしては、ＥＰ０９３７４２２Ｂ１に記載がある。同特許が提案したアタッチメントは、一方では、外耳道に導入された空気を処置する耳の鼓膜まで直接導入するため、損傷や後遺症につながる可能性があり、他方では、このアタッチメントの形状からして患者の耳道に入らないか、数ｍｍしか挿入することができず、通常長さ２ｃｍから２．５ｃｍある耳道の鼓膜寄りの奥に貯留した水分を全く除去できないか、長時間かけて及び／又は気流をより多く集中的に導入せずには除去できない。
【０００６】
これと同様に、流体を使用して耳垢を外耳道から除去する際、流体が鼓膜に直接接触すれば、鼓膜が損傷する恐れがある。同時に、外耳道に耳垢が残留し、流体が外耳道全体に到達しなければ、外耳道の洗浄を十分に行うことができない。外耳道の洗浄装置としては、例えば、ＥＰ０２４３２６１ＡｌやＤＥ６９２１４６９０Ｔ２に記載がある。
【０００７】
外耳道のケアや治療のために流体を外耳道に導入する際にも、流体が鼓膜まで直接導入されれば、鼓膜が損傷する可能性がある。さらに、このような流体を用いる外耳道のケア又は治療の効果は、流体が外耳道全体に到達しなければ、最大限に発揮されない。
【発明の概要】
【発明が解決しようとする課題】
【０００８】
以上の背景を基に、本発明の目的は、気流の利用によって人間又は動物の外耳道から、鼓膜を損傷する危険を伴わず、水分を迅速かつ効率的に除去することができる、気流、好ましくは暖気流発生装置用アタッチメントを提供することである。
【０００９】
さらに、提供されるアタッチメントが複雑でなく、多様な耳道に適合可能であり、簡素な構造を持ち、製造コストが低いことも重要である。
【００１０】
本発明に基づくアタッチメントを含む耳乾燥装置は、乾燥効率を大幅に改善するものである。本発明に基づく耳乾燥装置は、１５秒間の使用のみで顕著な乾燥効果を生むことを目指している。完全乾燥は一回の使用時間が３０秒又はそれ以下で実現可能なものとする。
【００１１】
このため、本発明の目的は、鼓膜損傷の危険を伴わず、人間又は動物の外耳道から耳垢を流体で迅速かつ効率的に排出することを可能にする、流体導入装置用アタッチメントを提供することである。
【００１２】
最後に、本発明の目的は、鼓膜損傷の危険を伴わず、流体を用いて人間又は動物の外耳道の迅速かつ効率的なケア又は治療を可能にする、流体導入装置用アタッチメントを提供することである。
【課題を解決するための手段】
【００１３】
本発明の基本的課題の１つを、本発明に基づき、装置との接続用支持体及び装置からの通気用ガイドスクープ底面を持つ舌形ガイドスクープを形成し、さらに、この場合、ガイドスクープの第１セクションのガイドスクープ底面縦断面のプロファイルが第１の方向に湾曲しており、ガイドスクープの第２セクションのガイドスクープ底面縦断面のプロファイルが第２の方向に湾曲しており、これら両セクションが逆向きに湾曲している、少なくとも部分的に人間又は動物の外耳道に挿入するように構成された、気流、好ましくは暖気流発生装置用又は流体導入装置用アタッチメントによって解決する。この場合、多種多様な接続支持体の形状がありうる。この接続支持体は、例えば、アタッチメントの本質的部分を成すことが可能であり、アタッチメントを安定させることができる。さらに、この接続支持体は、アタッチメントの安定性を本質的に増すことに寄与せずとも、アタッチメントを装置に接続することを可能にするアタッチメントのセクション（区画）を成すのみであってもよい。
【００１４】
本発明に基づき装置が提供する気流は、本発明に係るアタッチメントの上を通り、外耳道内に入り、さらにこの際、ガイドスクープは、外耳道内部を乾燥するために必要であり特に有利なように気流の向きを調整する。この場合、気流は接続支持体の上を通り、アタッチメントに流れ込み、次に接続支持体を通り、さらにガイドスクープの底面上を流れ外耳道方向に向かって流れる。本発明に係るガイドスクープのプロファイルによって、又はガイドスクープ底面の湾曲によって、外耳道内に気流を特に有利に気流を配分する。特に、ガイドスクープ底面の縦断面が平坦なアタッチメントと比較して、より優れた乾燥効果が得られる。この場合、特に有利な点は、接続支持体の側から見て、ガイドスクープ底面と接するガイドスクープ底面の第１セクションが成す正接線の勾配は、接続支持体から離れるに従い逓減し、ガイドスクープ底面の第２セクションでは接続支持体から離れるに従い逓増することである。気流の向きは、本発明に係るアタッチメントにより、外耳道内で接近する渦流が成す渦巻場を形成するように向きを調整できる。この渦巻場は、アタッチメントをユーザーの外耳道に挿入する深さに応じて、ガイドスクープにより発生する気流の回転によって発生する、さらに／又は鼓膜に至る外耳道の側壁での気流の反射によって発生する可能性がある。このため、気流が鼓膜に直接当たることなく、外耳道の側壁に対して、またこれらの側壁においてのみ、好ましくは複数回、反射してから、鼓膜に沿って流れるため、鼓膜の表面を撫でるように流れる。例えば、気流が耳道の側壁上部に当たり、そこで反射し、鼓膜に沿って外耳道側壁の下へ流れ、ここで、気流が再度反射して、最後に耳たぶの方向へ流れることが可能である。また、気流が外耳道の側壁に何回も反射してから、気流が鼓膜に到達することも可能である。本発明に係るアタッチメントを使用すると、特に、外耳道陥凹、すなわち、鼓膜に向かって傾斜して下降する外耳道の底面とこの底面の上に被さるように斜めに付いている鼓膜との間で鼓膜の直近に生じる窪みから水分の貯留を除去することが可能となる。気流の渦流によって、渦の発生及び／又は鼓膜につながる外耳道の側壁での反射によるかを問わず、気流が鼓膜の上を通り、外耳道陥凹を撫でるように流れるが、鼓膜には正面から当たらないようになる。本発明に係るアタッチメントにより条件づけられる外耳道内での気流の流れ方に基づき、非常に短時間での十分な乾燥が可能となる。例えば、本発明に係るアタッチメントを装着した本発明の耳乾燥装置（後半で説明する）を使用すると、１５秒後ですでに顕著な乾燥効果を得ることができる。外耳道を完全に乾燥するための、すなわち耳道の湿度を通常の状態まで再び下げるための使用時間は約３０秒又はそれ以下で十分である。
【００１５】
さらに、本発明に係るアタッチメントを流体導入装置と併用した場合、このアタッチメントによって外耳道から耳垢を、特に、丁寧かつ効果的に除去できることが判明した。本発明に係るガイドスクープに基づいて、流体、例えば水は、外耳道の中を洗浄するため特に有利な流体の流れを発生させる。上記の気流と類似して、流体（液体）も、外耳道に流入すると、強制的に接近し合う渦流が成す渦巻場を発生するため、一方では、鼓膜に液体が直接当たらず、これと同時に流体の渦流及び／又は外耳道側壁での反射によって、外耳道から耳垢を、特に側壁にこびりついた耳垢を、特に効果的に除去することが確実になる。
【００１６】
さらに、本発明に係るアタッチメントを流体導入装置と併用すると、アタッチメントによって外耳道を特にいたわりつつ、効果的なケアないし治療が可能になることが判明した。本発明に係るガイドスクープに基づいて、流体は外耳道内で外耳道のケア又は治療のために特に有利な流れ方をする。この場合、鼓膜の損傷を防止でき、ケア又は治療用の流体が直接鼓膜に向けられず、本発明に係る流体の渦流及び／又は反射によって外耳道の側壁に特によく届くため、ケア又は治療の効果を最大限に実現することができる。
【００１７】
本発明の好ましい実施形態では、第１セクションと第２セクションが直結した連続的構成とする。特に、ガイドスクープ底面の第１セクションと第２セクションが、相互に円滑に繋がらずに分離されているのではなく、平坦に連続的に推移する場合、流体力学的に有利である。
【００１８】
このため、気流は、目的の乾燥効果のために特に有利な外耳道内の乾燥に適した流れ方をする。
【００１９】
鼓膜に優しい乾燥を可能にする上記発明による効果を実現するためには、舌形ガイドスクープを外耳道に挿入する、ガイドスクープによって生じる気流の渦流又は、ガイドスクープによって生ずる外耳道壁面での反射及び／又は渦流のいずれかを活用することで原則的に十分であるが、追加的にアタッチメント用耳漏斗を装着すると有利である。
【００２０】
このため、本発明に係るアタッチメントのさらに他の好ましい実施形態においては、アタッチメントが耳漏斗を含み、この耳漏斗が舌形ガイドスクープを少なくとも部分的に、好ましくはその全体を、縦方向にわたって包み、近位開口部を有する構成とする。
【００２１】
この場合、アタッチメントを規定通りに使用し、ユーザーの外耳道に挿入した場合、耳漏斗は、外耳道ないしその側壁と直接接触するアタッチメントの一部として機能する。耳漏斗は、アタッチメントの接続支持体と接続され、このアタッチメントから突出する、又は、接続支持体が耳漏斗の１つの末端部を成すことができる。ガイドスクープは、少なくとも部分的に、好ましくはノズル型耳漏斗の内側に配置されている。
【００２２】
ガイドスクープが耳漏斗から突出しないことが有利である。耳漏斗付きのアタッチメントを人間又は動物の外耳道に入れた場合、耳漏斗は、一方では容易に広げられ、通常は傾斜している外耳道の乾燥のために有利な位置決め、すなわち、容易に角度を調整でき、他方では、例えば、耳漏斗の形状とサイズを適宜選択することによって、アタッチメントを大人や子供向けに使用するため等、耳漏斗を用いると異なる所与の条件に容易に適合させることも可能である。上記の外耳道内の渦流の発生及び反射を促すために、耳漏斗の長さは、ガイドスクープの縦方向プロファイルに合わせて調整することができる。外耳道の乾燥のためにアタッチメントを規定通りに使用した場合、アタッチメントを耳漏斗の近位開口部側からユーザーの外耳道に挿入するかあてがう。この場合、さらに以下においても、近位とは、ユーザーの鼓膜に対する特定のエレメントの位置を指す。具体的に言うと、近位開口部とは、ユーザーの鼓膜に近い方の耳漏斗の開口部を意味する。
【００２３】
さらに、本発明に係るアタッチメントの他の好ましい実施形態においては、アタッチメントの縦断面を見た場合、ガイドスクープ底面は縦断面と直交する接続支持体の横断面の中心を通るアタッチメントの縦軸と交わる構成とする。
【００２４】
アタッチメントの舌形ガイドスクープは、接続支持体の横断面の中心を通る縦軸と交わる。本発明に基づき、このことは、アタッチメントの側面から見て、ガイドスクープがこの縦軸に対して、少なくとも部分的に、斜めのプロファイルを持つことを前提とする。好ましくはガイドスクープは流れる方向に向かって見て、その全長に渡り、勾配がなくならない形状とすることができる。ガイドスクープ、特にガイドスクープ底面の縦断面は、アタッチメントの縦軸を横切るため、気流の向きはユーザーの鼓膜に直接当たらないように制御される。
【００２５】
本発明に係るアタッチメントのさらに他の好ましい実施形態によると、アタッチメントの縦断面を見た場合、ガイドスクープ底面は耳漏斗の縦軸と交わり、この縦軸が耳漏斗の近位開口部の中心を通る構成とする。
【００２６】
耳漏斗が回転対称的である（好ましくは耳漏斗の筐体にある出口を除きこの対称性に該当する）限り、耳漏斗の縦軸はその回転軸と一致する。ガイドスクープは、縦断面で見た場合、ガイドスクープ底面が耳漏斗の縦軸と交わるように耳漏斗内に配置することができ、この場合、ガイドスクープ底面が耳漏斗の近位末端部で耳漏斗の縦軸と交わる場合、実現しようとしている渦流又は反射のため、ひいては意図している乾燥のために、特に効果的であることが判明した。
【００２７】
好ましくは耳漏斗の縦軸はアタッチメントの縦軸と一致する。このため本発明に係るアタッチメントの構造を特に簡素なものとすることができる。
【００２８】
本発明に係るアタッチメントのさらに好ましい実施形態では、舌形ガイドスクープは、ガイドスクープ底面から突出した２つのガイドスクープの縁、すなわち、第１のガイドスクープの縁と第２のガイドスクープの縁を成し、この場合、気流発生装置から流出する空気の１つの経路又は経路の一部を、ガイドスクープ底面とガイドスクープの縁が構成する。
【００２９】
これらのガイドスクープの縁によって、気流のガイドスクープに沿う、方向が定まり制御された流れが確実になり、さらに外耳道内に気流が制御されて確実に導入されるようになる。また耳漏斗付きアタッチメントを使用する実施形態の場合にも、耳漏斗の内壁に生じて欲しくない気流の反射を防止することもできる。
【００３０】
この際、ガイドスクープの縁は、例えば、ガイドスクープ底面の全長にわたって、又はガイドスクープ底面の１つ又は複数の縦方向セクションにわたって耳漏斗と接触することができる。代替的には、ガイドスクープの縁を耳漏斗から離した構成とすることも可能である。
【００３１】
さらに好ましい実施形態では、第１のガイドスクープの縁がガイドスクープ底面の第１の縦方向縁から突出し、第２のガイドスクープの縁が第１の縦方向縁の反対側にあるガイドスクープ底面の第２の縦方向縁から突出した構成とする。代替的に、第１のガイドスクープの縁はガイドスクープ底面の第１の縦方向縁により、また第２のガイドスクープの縁がガイドスクープ底面の第２の縦方向縁により、形成される構成とすることも可能である。
【００３２】
この場合、ガイドスクープの縁はガイドスクープ底面をこの底面の相互に向かい合う縦方向側面の境界線をなし、気流が規定通りの乾燥のために外耳道に入る前に、乾燥用の気流が経路からアタッチメントの他の領域、例えば排気路に可能な限り外れなくなる。これに対し、ガイドスクープの縁が縦方向の全長にわたって耳漏斗と接触している場合、前記の溢れた気流が空気の経路から他の領域、例えば排気路にまったく流れない構成にすることができる。このため経路と排気路はガイドスクープによって流体学的に相互に絶縁される、又は分離されることができる。特に有利な乾燥効果は、ガイドスクープの縁がガイドスクープの全長にわたるプロファイルを成す場合に実現可能である。ガイドスクープの縁は、ガイドスクープ底面と一体加工されていることも可能であり、また、ガイドスクープ底面の第１の縦方向縁とその反対側の第２の縦方向縁によって形成されたものとすることが可能である。ガイドスクープの縁は、ガイドスクープの縁の間にあるガイドスクープ底面と比較して、多様な湾曲を成す断面プロファイルを成すことができる。ガイドスクープ底面とガイドスクープの縁との移行部は、連続していることができ、例えば、ガイドスクープ底面の断面プロファイルの勾配ないし湾曲の変化によってのみ形成することができる。このため、ガイドスクープ底面とガイドスクープの縁を明確に区別しにくくすることができる。例えば、ガイドスクープ底面とガイドスクープの縁は、ガイドスクープ底面とガイドスクープの縁が成すガイドスクープの全断面が本質的にU字型を成すように構成することが可能である。
【００３３】
本発明に係るアタッチメントのさらに他の好ましい実施形態では、舌形ガイドスクープが接続支持体から突出し、好ましくは接続支持体の中を通るセクションをなす構成とする。
【００３４】
この構成は、特に、アタッチメントに耳漏斗が無い、又は着脱式耳漏斗を使用する場合に有利である。この場合、接続支持体は、一方では装置との接続用として機能し、他方では、アタッチメントをガイドスクープを支持するように安定させることもできる。
【００３５】
鼓膜及び／又は外耳道側壁の損傷を防止するため、本発明に係るアタッチメントのさらに他の好ましい実施形態によれば、舌形ガイドスクープが耳漏斗及び／又は接続支持体に完全に包まれた構成とする。
【００３６】
本発明の本実施形態によるアタッチメントの場合、ガイドスクープ全体がアタッチメントの中に隠れるため、ユーザーの鼓膜及び／又は外耳道側壁の負傷の危険を最小限にすることができる。特に、ガイドスクープの第１と第２セクションは耳漏斗内部に、また、接続支持体の中を通るガイドスクープセクションを接続支持体の中に配置することができる。
【００３７】
本発明に係るアタッチメントのさらに他の好ましい実施形態によると、耳漏斗が接続支持体から耳漏斗の近位開口部へ向かうにつれて細くなる構成とする。
【００３８】
近位開口部の輪郭は、好ましくは直径７ｍｍを超えない円形とする。このため、耳漏斗の形状は、耳道に挿入する耳漏斗の少なくとも近位末端部で外耳道の形状に適合されているため、アタッチメントを特に容易に痛みを感じることなく外耳道に挿入しうる。この場合、本発明に係るアタッチメントは、２０ｍｍ、好ましくは１５ｍｍ、より好ましくは１０ｍｍまで、ユーザーの鼓膜に近づけて挿入することができるため、上記の外耳道内の接近し合う渦流で成す渦巻場が維持され、外耳道陥凹内に貯留した液体の乾燥のために有利に作用しうる。 実現可能な鼓膜からの最短距離は、男性、女性、子供向け用途に合わせたアタッチメントの適合性に応じて変えることができる。
【００３９】
より好ましくは、ガイドスクープの近位末端部、好ましくはガイドスクープ底面の近位末端部が、本質的に耳漏斗の近位開口部と一体化されていることである。
【００４０】
本発明の前記実施形態の場合、ガイドスクープは本質的に耳漏斗と一体化されている。このため気流が耳漏斗の近位開口部の上を通りアタッチメントから出るとき、外耳道内へ特に良好な向きに流すことが可能になる。アタッチメントから出る気流が成す耳漏斗又はアタッチメントの縦軸と成す角度も、アタッチメントから出る気流に発生すべき回転も、本実施形態において特に良好に調整される。特に、気流が外耳道の側壁に当たる入射角がさらに良好に予め決まる。
【００４１】
本発明に係るアタッチメントのさらに他の好ましい実施形態によれば、ガイドスクープの近位末端部、好ましくはガイドスクープ底面の近位末端部が、耳漏斗の近位開口部をアタッチメントから耳道への流出空気用の排気開口部と耳道からアタッチメントへの流入空気用の投入開口部に分かれる構成とする。
【００４２】
この場合、一方では、耳漏斗の近位開口部の上を通り、乾燥用の乾燥気流、好ましくは暖気流が、アタッチメントから外耳道に、すなわち、流出開口部を通り、他方では、外耳道から出ていく湿った空気は、近位開口部を通るが、再びアタッチメントに、すなわち流入開口部領域に入る。このため、乾燥用に使用された空気も耳道から流出することが耳漏斗により可能になり、耳道内に流れが滞留しない。この場合、湿った空気は水分を吸収した直後、外耳道の側壁から絶縁されて、外耳道から直ちに再び出ていくため、乾燥効果が改善される。このため、近位開口部領域において、乾燥用の気流は外耳道に入る前に、湿気た空気と混ざらなくすることが確実になる。この場合、流入開口部と流出開口部の間に流体が行き交わないように分離されるようにガイドスクープの近位末端部ないしガイドスクープ底面の近位末端部及び／又はガイドスクープの縁は耳漏斗の内面と接触している。
【００４３】
本発明のさらに他の好ましい実施形態では、舌形ガイドスクープは、耳漏斗の容積をアタッチメントから耳道に流入する空気用の入気路と、耳道からアタッチメントに流入する空気用の排気路とに分割し、この場合、好ましくは入気路が接続支持体と流出開口部を連結し、さらにこの際、好ましくは排気路が流入開口部とアタッチメントの排出口を連結する構成とする。
【００４４】
この構造によって、乾いた気流と外耳道から出る湿った空気はアタッチメント内を可能な限り分離されて通過することができる。この場合、乾いた気流は、好ましくは暖気流は、最初に気流発生装置を通して発生し、接続支持体を通り、ガイドスクープの上を経由して耳漏斗の入気路へ流れ、外耳道に入る。外耳道、特に外耳道陥凹の乾燥後、湿った空気は外耳道から出て流入開口部を通り、排気路を経由して耳漏斗の排出口へ流れ、この排出口を通って湿った空気はアタッチメントから排出される。このため、アタッチメント内部で、入気路及び排気路を通る空気質量の混合は全く生じないか極めて僅かしか生じないため、乾燥効率がさらに高まる。
【００４５】
概して、ガイドスクープ底面又はガイドスクープの縁は、耳漏斗、特に耳漏斗の内面と、全く接触しないか、耳漏斗の全長にわたって接触する、又は耳漏斗の近位開口部領域でのみ接触する。ガイドスクープ底面又はガイドスクープの縁が耳漏斗の一部と接触し、セクションの一部において耳漏斗、すなわち耳漏斗の内面と離れている実施形態の変形例も考えうる。
【００４６】
さらに他の好ましい実施形態では、入気路の断面が流れの方向に進むにつれ細くなる構成とする。
【００４７】
この場合、流れる方向とは、気流が外耳道に入るために入気路の中を流れる方向である。好ましくは連続体である入気路の断面がこのように逓減するため、気流がアタッチメントから出るときの出口速度が調整され、必要な乾燥効果のために特に有利な出口速度の選択（調整）が可能である。
【００４８】
アタッチメントは、アタッチメントの排出口が外耳道の外になるような寸法とする。この場合、排出口は特に好ましくは耳漏斗の筐体壁面にある開口部が成し、好ましくは接続支持体と直結している耳漏斗セクションに形成されている。
【００４９】
このため、乾燥用に使用された湿った空気ないし耳道を通過した流体は、接続支持体、又は装置の中にさえ入らなくなり、耳漏斗領域においてでアタッチメントからすでに排出される。この構造によって、アタッチメント及び装置本体の構造はさらに簡素化される。 全体的に、この措置によってアタッチメントの製造費を安価に抑えることができる。 接続支持体の先に配置した耳漏斗セクションに排出口を配置してあることによって、以上のほかにも、排出部を特に簡素な方法で加工することが可能になる。この場合、排出口を耳漏斗の、アタッチメントを規定通りに使用した場合少なくとも部分的に、好ましくは全体が、ユーザーの外耳道から突出したセクションに配置されている。
【００５０】
本発明に基づき、アタッチメントはさらに以下の構成とすることが可能である。
−接続支持体とガイドスクープが一体化されており、好ましくはユニットとして耳漏斗と結合されている、又は
−耳漏斗とガイドスクープが一体化され、好ましくはユニットとして耳漏斗と結合されている、又は
−接続支持体、ガイドスクープ、耳漏斗が一体化されている。
【００５１】
接続支持体とガイドスクープが一体化されている場合、多様に構成される耳漏斗を同一の接続支持体と組み合わせ、ガイドスクープを含む、別個の交換部品として提供可能なユニットとして使用することができる。このため、接続支持体又はガイドスクープを交換することなく、アタッチメントを多様な耳道に適合させることができる。この点は、とりわけ、装置の空気又は流体の出口のサイズと形状に応じた接続支持体の構成が可能であるため、使用される装置毎に調整されているため、特に有利である。
この構成により、耳漏斗は、アタッチメントの他の構成部品とは独立的に、ユーザー層別にカスタム化することが可能になる。例えば、耳漏斗の素材及び／又はサイズ、形状は、アタッチメントを男性か女性の成人又は子供に応じて選択することができ、同時にアタッチメントの残りの構成部品は、アタッチメントと組み合わせて使用する装置別に合わせて調整することができる。このため、耳漏斗は交換が容易であり、アタッチメントの他の構成部品から独立的に後付け可能である。耳の処置毎に耳漏斗を交換できるため、衛生面においても非常に有利である。
【００５２】
耳漏斗とガイドスクープが一体型の場合、アタッチメントを規定通りに使用すればユーザーの外耳道と接触する（こともありうる）アタッチメントの全部品、すなわち耳漏斗とガイドスクープは、別個の交換部品として提供し、接続支持体と接続して使用することができる。このため、耳漏斗とガイドスクープで構成されるユニットを使用の度に交換できるため、本発明に係るアタッチメントを特に衛生的に使用することができる。
【００５３】
耳漏斗、ガイドスクープ、接続支持体が一体化された構成の場合、アタッチメント全体を別個の交換部品として提供でき、使用毎に交換することができる。さらに本実施形態は非常に費用効果が高い。
【００５４】
さらに他の好ましい実施形態によれば、接続支持体が耳漏斗の終端セクションによって形成された構成とする。
【００５５】
特に耳漏斗、ガイドスクープ、接続支持体が一体化されている場合、追加的な別個の部品が不要になるため、本発明に係るアタッチメントをよりコンパクトかつ費用効果的に生産可能になる。
【００５６】
本発明の基本的課題は、気流、好ましくは暖気流発生装置及び本発明に係る前記の実施形態によるアタッチメントから構成される耳乾燥装置によっても解決される。
【００５７】
以上と類似の方法により、本発明のもう１つの基本的課題を、流体導入装置及び前記実施形態の１つに基づく本発明に係るアタッチメントで構成された、人間又は動物の外耳道のケア又は治療用の装置により解決する。
【００５８】
本発明に係るアタッチメントの１つの好ましい実施形態においては、接続支持体を、アタッチメントを回せるように装置と接続できるように取り付ける構成とする。
【００５９】
アタッチメントの向きとこれにともない（暖かい）空気又は流体が耳道に流入する方向は、具体的な用途（乾燥、耳垢除去、ケア又は治療液体の耳道への投与）に応じて選択する、又はユーザー本人のニーズに適合させることができる。
【００６０】
この場合、アタッチメントを特定の旋回位置で装置に固定できるようにするために、接続支持体の筐体外面には、装置の少なくとも１つのロック凸部と嵌合しうる少なくとも１つの凹部があると、特に有利である。
【００６１】
これによって、例えば、耳道の乾燥のために最適なアタッチメントの特定の旋回位置を定めることが可能となり、さらに、アタッチメントは容易に他の旋回位置に回すことができるが、規定の旋回位置で装置のロック凸部と嵌合する。ロック凸部は装置内部で流体の出口領域に配置することができる。
【００６２】
アタッチメントを異なる旋回位置で装置に固定できるようにするために、複数の凹部が接続支持体の筐体外面上に間隔を置いて配置されていることが、特に有利である。
【００６３】
このため、特定の用途別に（乾燥、耳垢の除去、耳道へのケア又は治療液の投与）最適な位置を選択可能な、異なる旋回位置を定めることが可能となる。
【００６４】
個々の凹部間の角度間隔を１８０°、好ましくは９０°、より好ましくは４５°とすると有利である。すなわち、角度間隔１８０°の場合、接続支持体の筐体外面に凹部が２つ、角度間隔９０°では４つ、角度間隔４５°では８つの凹部を等間隔で配置することができることを意味する。
【００６５】
この構成によればアタッチメントを装置に異なる最適な旋回位置で固定することができる。
【００６６】
（暖かい）空気ないし流体がユーザーの外耳道に入ることができるようにするため、本発明に係るアタッチメントの他の好ましい実施形態によると、装置から出てアタッチメントを通る流体に渦流を起こすために、ガイドスクープ底面から少なくとも１つの流入エレメントが突出した構成とする。
【００６７】
このような流入エレメントは流れを妨害し、実質的に発生している流体の流れがアタッチメントを通るうちに渦流を生じ始め、この流れは流入エレメントを通った後、回転運動（渦巻）を生ずる。このようにして１つ又は複数の流入エレメントによって変更された流れにより、上記の有利な乾燥及び洗浄、さらに処置の効果がさらに強化される。
【００６８】
好ましくはガイドスクープ底面に向き合って配置された少なくとも２つの好ましくは平らな流入エレメントを配置した構成とする。この場合、流入エレメントは流体の流れる方向又はアタッチメントの縦方向で（奥に向かうにつれて）近づき合うように向き合っている。
【００６９】
接続支持体を通ってアタッチメントに入る流体の流れは、流入エレメントによって渦流となり、この場合、これらのエレメントが対で向かい合って配置されているため、流入エレメント間に位置するアタッチメントの領域では流体の流れが圧縮されるため、乾燥、耳垢の除去又はケア又は治療流体の耳道への投与のために所望の効果を得るために有利である。
【００７０】
他の好ましい実施形態において、流入エレメントは三角形、好ましくは直角三角形を成す。
【００７１】
この場合、流入エレメントの直角な二辺のうちの一辺がガイドスクープ底面の近位末端部へ向き、接続支持体を通ってアタッチメントに入る流体の流れが三角形の斜辺上を通って乱流又は渦流を発生するように、三角形の直角な二辺のうちの一辺をガイドスクープ底面に固定することができる。
【００７２】
接続支持体側を向いている流入エレメントの流入面が斜めに向かい合っている場合が特に有利となる。
【００７３】
この構成によれば、流入面は装置から出てアタッチメントに入る流体の方を向く。流入面に流体の流れが当たることにより、アタッチメント上で（この直前にガイドスクープ底面上で近づき合う）流体の流れる方向が特に有利に変わる。
【００７４】
本発明に係るアタッチメントのさらに他の好ましい実施形態では、接続支持体の側から見て、向かい合う流入エレメントの間隔がアタッチメントの奥に向かうにつれ細くなる構成とする。
【００７５】
このようにして形成された流入エレメントによって発生する流体の流れは、接近し合う２つの渦流となり、この際、各渦流がそれぞれの流入エレメントにより発生する。対向して配置した流入エレメントの対がアタッチメントの縦方向に、すなわち、流体の流れる方向に漸近することにより、耳道内で所望の用途のために特に有利な流れの配分が発生する。
【００７６】
本発明に係るアタッチメントの他の好ましい実施形態において、ガイドスクープ底面は、少なくともガイドスクープ底面の第２の縦方向セクション、好ましくは第２セクションの領域において、第１の縦方向セクションに、好ましくは第１セクションに対向して、捩れている。
【００７７】
例えば、ガイドスクープ底面は幾何学的な（超）線織面に類似した形に構成されていることができるため、第２の縦方向セクション、好ましくは第２の縦方向セクションの頂点が第１の縦方向セクション、好ましくは第１の縦方向セクションの頂点に対して、アタッチメントの縦軸を横切る曲線に沿ってずれている、及び／又は第２の縦方向セクションの方向が第１の縦方向セクションの方向から乖離する。
【００７８】
この構成によって、耳道に導入された流体の流れが確実に回転するようになる。この運動によって流体が分かれて流れるため、特に効果的な耳道の乾燥ないし洗浄が可能になる。アタッチメントから耳道に導入されるケア用又は治療用の液体も、より良好に耳道内で配分されるため、既知の処置法では届かなかったような箇所にも到達できるようになる。
【００７９】
この場合、第１のガイドスクープの縁と第２のガイドスクープの縁、特にガイドスクープの縁の対向するセクションの高さが異なっていると有利でありうる。
【００８０】
上記の、好ましい実施形態として説明された実施形態は、本発明に基づき形成されるガイドスクープと有利な相乗効果を生み出す一方では、これと同等の優位性はガイドスクープないしガイドスクープ底面の特殊形状から独立的にも実現することができる。特に以下に説明する実施形態は本発明の発想に含めて考案されている。
【００８１】
気流、好ましくは暖気流発生又は流体導入装置用の、少なくとも部分的に人間又は動物の外耳道に挿入するように形成されたアタッチメント。この場合、アタッチメントは、装置との連結用接続支持体を成すと同時に、装置から流出する流体の通路になるガイドスクープ底面がある舌形ガイドスクープも有し、さらにこの場合、接続支持体は、アタッチメントを旋回可能な状態で装置と接続するように設計されており、この場合、好ましくは接続支持体の筐体外面には、アタッチメントを装置に特定の旋回位置で固定するために装置の少なくとも１つのロック凸部と嵌合可能な少なくとも１つの凹部を有し、この場合、アタッチメントを装置の異なる旋回位置で固定できるようにするため、好ましくは複数の凹部を接続支持体の筐体外面上に、好ましくは、角度間隔１８０°、好ましくは９０°、より好ましくは４５°の間隔で配置してある。
【００８２】
気流、好ましくは暖気流発生突出装置又は流体導入装置用の、少なくとも部分的に人間又は動物の外耳道に挿入するように形成されたアタッチメント。この場合、アタッチメントは装置との連結用接続支持体及び装置から流出する流体を通すためのガイドスクープ底面を有する舌形ガイドスクープを成し、さらにこの場合、装置から流出する流体が渦流を発生するように、ガイドスクープ底面からした流入エレメント、少なくとも１つの流入エレメントがあり、この場合、好ましくは少なくとも２つの、好ましくは平らな、流入エレメントをガイドスクープ底面に向かい合わせて配置し、この場合、好ましくは流入エレメントは三角形、好ましくは直角三角形であって、接続支持体側を向いた流入エレメントの流入面のプロファイルは、好ましくは傾斜して向かい合い、この際、接続支持体の側から見て、対向する流入エレメントの間隔は好ましくはアタッチメントの縦方向に進むにともない（奥に向かって）逓減する。
【００８３】
気流、好ましくは暖気流発生又は流体導入装置用の、人間又は動物の外耳道に少なくとも部分的に挿入して使用するように形成されたアタッチメント。この場合、アタッチメントは、装置との接続用支持体及び装置から流出する流体を通すように形成されたガイドスクープ底面を持つ舌形ガイドスクープを成し、さらにこの場合、ガイドスクープ底面は少なくとも第２の縦方向セクションの領域で第１の縦方向セクションに対して捩れており、この際、好ましくは第１のガイドスクープの縁及び第２のガイドスクープの縁の高さが異なる。
【図面の簡単な説明】
【００８４】
次に本発明を実施例に基づいて詳説する。図面は例示であり、発明の発想を表現すべきものであるが、発明の発想を限定又はこの範囲に限るものではない。各図に示す項目は以下のとおりである。
【００８５】
【図１ａ】第１の実施形態による本発明のアタッチメント。
【図１ｂ】本発明に係るアタッチメントの第１の実施形態の耳漏斗。
【図２ａ】第１の遠近図に表す、耳漏斗付きアタッチメントの第１の実施形態。
【図２ｂ】第２の遠近図に表す、耳漏斗付きアタッチメントの第１の実施形態。
【図３ａ】気流発生又は流体導入用装置に固定されている図２ａ及び２ｂに基づくアタッチメントの縦断面図。
【図３ｂ】図２ａ及び２ｂに基づくアタッチメントの縦断面図。
【図４ａ】Ａ−Ａで切り取った図３ｂに基づくアタッチメントの横断面図。
【図４ｂ】Ｂ−Ｂで切り取った図３ｂに基づくアタッチメントの横断面図。
【図４ｃ】Ｃ−Ｃで切り取った図３ｂに基づくアタッチメントの横断面図。
【図５ａ】耳漏斗無しの第１の実施形態によるアタッチメントを含む本発明の耳乾燥装置。
【図５ｂ】耳漏斗付きの第１の実施形態によるアタッチメントを含む本発明の耳乾燥装置。
【図５ｃ】保護キャップ付き本発明に係る耳乾燥装置。
【図６ａ】本発明に係るアタッチメントで発生させる外耳道内の第１の気流。
【図６ｂ】本発明に係るアタッチメントで発生させる外耳道内の第２の気流。
【図６ｃ】本発明に係るアタッチメントで発生させる外耳道内の第３の気流。
【図７ａ】図１ａの線図。
【図７ｂ】図１ｂの線図。
【図７ｃ】図２ａの線図。
【図７ｄ】図２ｂの線図。
【図８ａ】本発明に係るアタッチメントの凹部付き実施形態の遠近図。
【図８ｂ】図８ａのアタッチメントの側面図。
【図８ｃ】図８ａのアタッチメントを、アタッチメントの縦方向に見た図。
【図８ｄ】図８ｃの部分拡大図。
【図９ａ】出口領域の流体導入用装置の断面図。
【図９ｂ】図９ａの部分拡大図。
【図１０ａ】流体導入用装置と接続する前の、本発明に係るアタッチメントの実施形態。
【図１０ｂ】流体導入用装置と接続した、本発明に係るアタッチメントの実施形態。
【発明を実施するための形態】
【００８６】
以下の説明における「縦断面」という用語は、切断面が図の記号面と平行であって、アタッチメント１の縦軸１２でこの切断面上にある本発明に係るアタッチメント１を切り取った断面を意味する。さらに、「横断面」という用語は、縦断面に対して切断面が直交するアタッチメント１の断面を意味する。
【００８７】
基本的に、本発明に係るアタッチメントの考えうる実施形態はいくつも存在し、この場合、すべての実施形態において、気流がガイドスクープを通るうちに渦流となり、及び／又はガイドスクープの形状のためユーザーの外耳道３の側壁で反射し、外耳道３内部に最適な乾燥効果を与える点が共通する。
【００８８】
本発明に係るアタッチメント１は、第１の実施形態において、接続支持体４及び舌形ガイドスクープ５、さらに耳漏斗１８も含むことが可能であり、この場合、接続支持体４とガイドスクープ５は一体化され、耳漏斗１８と着脱式に接続可能である。本実施形態はとりわけ耳漏斗１８が着脱式であって、アタッチメント１は耳漏斗１８があっても無くても使用可能な点が特徴的である。本実施形態では、必ずしも必須ではない耳漏斗１８は（取り付けた場合）交換が容易であり、接続支持体４とガイドスクープ５から独立的に後付け可能である。この他にも耳漏斗１８が乾燥処理後に交換可能であることは衛生的に非常に有利である。
【００８９】
第２の実施形態において、本発明に係るアタッチメントは接続支持体、ガイドスクープ、さらに耳漏斗を含み、この場合、耳漏斗とガイドスクープは本実施形態において一体化され、耳漏斗とガイドスクープで成すユニットが接続支持体と接続可能である。この場合、アタッチメントを規定通りに使用すると、ユーザーの外耳道３と接触する（こともありうる）アタッチメントの全部品、すなわち耳漏斗とガイドスクープは、別個の交換部品として提供し、接続支持体につなげて使用することができる。このため、耳漏斗とガイドスクープで構成されるユニットを使用の度に交換できるため、本発明に係るアタッチメントを特に衛生的に使用することができる。
【００９０】
第３の実施形態においても、本発明に係るアタッチメントは接続支持体とガイドスクープ、さらに耳漏斗を含み、本実施形態の場合、接続支持体とガイドスクープ、さらに耳漏斗が一体化されている。 このためアタッチメント全体を別個の交換部品として提供し、毎回使用後に交換可能である。 このため、第３の実施形態によるアタッチメントの特に容易かつ衛生的な取り扱いが可能になる。 さらに、アタッチメントは一体であるため、特に容易かつこのため費用効果的に生産可能である。
【００９１】
接続支持体とガイドスクープさらに耳漏斗が個別部品であるような、アタッチメントの実施形態も本発明の発想に含まれている。
【００９２】
以下では、図１から６に示す本発明に係るアタッチメントの第１の実施形態１に基づいて本発明をさらに詳説するが、第２及び第３の実施形態は図１から６に図示していない。
【００９３】
図１ａは、本実施形態では選択的である耳漏斗無しの本発明に係るアタッチメント１の本実施形態の遠近図である。アタッチメント１は、アタッチメント１を気流、好ましくは暖気流発生又は流体導入装置２と接続するための接続支持体４を含む。この場合、接続支持体４はアタッチメント１を装置２に固定するためのアタッチメント１のセクションを形成する。
【００９４】
さらに、アタッチメント１は動物又は人間（以下、「ユーザー」と称する）の外耳道３に、外耳道３の乾燥のために挿入することができる（図６）舌形ガイドスクープ５を含む。ガイドスクープ５は外耳道３への制御された通気及び気流の制御された導入を可能にする。ガイドスクープ５には通気用のガイドスクープ底面２５があり、さらに、気流用の経路又は経路の一部を成すためのガイドスクープの縁２６を含む。
【００９５】
図３ａは、耳漏斗が無い第１の実施形態に従う本発明のアタッチメント１の縦断面図であって、この縦断面は接続支持体４とガイドスクープ５を通る。図３ｂは、図３ａによるアタッチメント１に耳漏斗１８を付けたものを示し、この場合、図３ａと３ｂに表すアタッチメント１は耳漏斗１８も含めて同じ構造である。
【００９６】
本質的にノズル形状の接続支持体４はアタッチメント１を装置２と接続し、装置２からアタッチメント１に気流を流入させる。
【００９７】
この場合、接続支持体４の形状は装置２の出口１５の形状に合う形をしており、気流がこの出口１５を通り、装置２から出て行く。舌形ガイドスクープ５は図示の実施例においては、接続支持体４から突出し、気流をユーザーの外耳道３に向ける（図６）。
【００９８】
図３ａに表したアタッチメント１を外耳道３の乾燥用に規定通りに使用できるために、このアタッチメントはガイドスクープ５で、部分的に又は全体的に、ユーザーの外耳道３に挿入することができる。
【００９９】
図３ａ及び図３ｂから明らかなように、ガイドスクープ５はガイドスクープ底面２５がアタッチメント１の縦軸１２と交わるように配置されている。アタッチメント１の縦軸１２は、図３ａ及び図３ｂに示す縦断面と直交する接続支持体４の横断面の中心を通る。この場合、接続支持体４の横断面は接続支持体４本体のみを示し、特に、接続支持体４の内部に配置されたスクープ５のセクションについては示していない。縦軸１２がその中心を通る接続支持体４の横断面を図４ｃに示す。
【０１００】
ガイドスクープ５のこうした配置によって、気流はユーザーの外耳道３内に所望の乾燥効果のために特に有利な流体の場を調整するように外耳道３に導入される。この構造によって、アタッチメント１から出た気流がユーザーの鼓膜３１に直接当たらないことが確実になる。すなわち、気流は、ガイドスクープ底面２５の近位末端部７ａの上を通って流れ、アタッチメント１から渦流となって出て、及び／又は外耳道３内に最適な乾燥効果を生むために気流が外耳道３の側壁で反射するように外耳道３内に導入される。好ましくはガイドスクープ底面２５は縦軸１２とはユーザーの鼓膜３１に近いため、アタッチメント１の近位末端領域で交差する。
【０１０１】
さらに図３ａ及び図３ｂに見て取れるように、ガイドスクープ底面２５は湾曲した縦断面を成し、この断面は、図４ａ及び図４ｂに示すガイドスクープ底面２５の横断面と直交する。接続支持体４から突出したガイドスクープ５の第１セクション５ａのガイドスクープ底面２５は第１の方向に湾曲した断面のプロファイルを成し、接続支持体４から突出したガイドスクープ５の第２セクション５ｂのガイドスクープ底面２５は第２の方向に湾曲した縦断面のプロファイルを成し、この場合、両方の湾曲したセクション５ａ、５ｂは逆向きに反った形で湾曲した面である。図３ａ及び図３ｂに示す実施例において、第２セクション５ｂはガイドスクープ５の近位末端部７を成す。
【０１０２】
以上より、ガイドスクープ５は少なくとも１つの第１の頂点１３と第２の頂点１４を成す。ガイドスクープ５のこうした特殊なプロファイルのため、外耳道３内部では気流の特に有利な流れの配分を実現できる。本発明の本実施形態において、特に、縦断面のプロファイルが平坦なガイドスクープ５を含むアタッチメントと比較すると、特に良好な乾燥結果を得ることができた。この際、特に有利な点は、接続支持体４の側から見て、ガイドスクープ底面２５と接するガイドスクープ底面２５の第１セクション５ａが成す接線の勾配が、接続支持体４から奥に進むに従い逓減し、ガイドスクープ底面２５の第２セクション５ｂにおいては接続支持体４から奥に進むに従い逓増することである。
【０１０３】
ガイドスクープ５は接続支持体４の中を通過するセクション５ｃを成し、この場合、セクション５ｃはユーザーの鼓膜３１から遠い側にあるためガイドスクープ５の遠位末端部６を成す。セクション５ｃはガイドスクープ５のセクション５ａと接続する。装置２から出てアタッチメント１に流れ込む気流の横断面を見ると、接続支持体４の中を通るガイドスクープ５のセクション５ｃと接続支持体４が境界を成す。このため、気流全量のうち、接続支持体４からガイドスクープ５に妨害されることなく伝わるべき部分が調整可能となる。このため特に、気流を気流横断面の逓減に従わせ、例えば、子供向けアタッチメントの気流横断面の逓減を成人向けアタッチメントより緩やかにできる。さらに、接続支持体４の中を通るガイドスクープ５のセクション５ｃによって、装置２から出てアタッチメント１に流入する気流が接続支持体４領域ですでに把捉されるため、気流の向きはアタッチメント１に進入すると直ちに向きが適切に制御される。
【０１０４】
ガイドスクープ底面２５の縦方向縁１６のうち２つのガイドスクープの縁、すなわち第１のガイドスクープの縁２６と第２のガイドスクープの縁２７はガイドスクープ底面２５から突出し、ガイドスクープ底面２５とともに気流用の経路１０又は経路１０の一部を成すことができる。ガイドスクープの縁２６、２７がガイドスクープ５の全長ではなく、縦方向セクションでのみ、ガイドスクープ底面２５から突出している場合は、ガイドスクープ底面２５とガイドスクープの縁２６、２７は経路１０の一部を成す。ガイドスクープ底面２５とガイドスクープの縁２６、２７で成す気流の経路１０の容積は、ガイドスクープ底面２５と第１のガイドスクープの縁２６、他方では第２のガイドスクープの縁２７が境界となって形成されている。経路１０によって、アタッチメント１内で気流の方向が一定で制御された通過、さらに、外耳道３への気流の制御された導入がさらに改善される。耳漏斗付きの実施形態、例えば、図３ｂに示す耳漏斗１８付きアタッチメント１の第１の実施形態の場合にも、ガイドスクープの縁２６、２７の使用により、耳漏斗１８の内壁での気流の意図していない反射を防止できる構成とする。
【０１０５】
図４ａは、図３ｂの切線Ａ−Ａで切り取った本発明に係るアタッチメント１の横断面である。図４ｂは、図３ｂの切線Ｂ−Ｂで切り取った横断面を示す。両方の場合において、この横断面は、ガイドスクープ５のそれぞれ耳漏斗１８及びガイドスクープ底面２５を通る。図４ｃは、図３ｂの切線Ｃ−Ｃで切り取った接続支持体４の横断面を示す。
【０１０６】
図４ａ、４ｂに見られる通り、図の実施例において、ガイドスクープ底面２５は好ましくはU型に湾曲した横断面のプロファイルを成す。この際、ガイドスクープ底面２５の横断面はガイドスクープ５の全長にわたって、若干U型に湾曲している。この際、湾曲はガイドスクープ５の片側末端部からガイドスクープ５の反対側末端部へ逓増又は逓減する構成とすることができる。ガイドスクープ底面２５の横断面が、ガイドスクープ５の全長ではなく、ガイドスクープ５の縦方向セクションでのみ湾曲する構成とすることも可能である。ガイドスクープ底面２５の横断面プロファイルはU字型湾曲以外の形状も可能である。図４ａ及び図４ｂは図３ｂによる耳漏斗１８付きアタッチメント１の横断面を示す。しかし、図３ｂに示すアタッチメント１は耳漏斗１８を除き、図３ａに示すアタッチメント１と同じであるため、上記の説明は、ガイドスクープ底面２５の湾曲した横断面プロファイルに関して、図３ａによる耳漏斗１８無しのアタッチメント１の第１の実施形態にも該当する。
【０１０７】
第１の実施形態によるアタッチメント１は、耳漏斗１８無し又は有りで、外耳道３に挿入し、外耳道３の乾燥のために規定通りに使用することができる。
【０１０８】
図１ａ及び図３ａに示すアタッチメント１は、図１ｂに遠近図を示す耳漏斗１８と着脱式に接続されるため、図２ａ、図２ｂ、及び図３ｂに示すアタッチメント１、すなわち耳漏斗１８付きの第１の実施形態によるアタッチメント１を得る。このために、耳漏斗１８を接続支持体４に押し付ける、又は他の方法でこの支持体と又はガイドスクープと接続することができる。上記の第３のガイドスクープと接続されたアタッチメント１の他の実施形態、すなわち、上述の第３の実施形態の場合、接続支持体４は、１つの末端部、好ましくは耳漏斗１８の遠位末端部によって形成することが可能である。
【０１０９】
耳漏斗１８付きのアタッチメント１の第１の実施形態において、耳漏斗１８は接続支持体４と着脱式に接続可能であり、この支持体から、ガイドスクープ５の全長が耳漏斗１８及びこれに続く接続支持体４により覆われるように突出している。耳漏斗１８と接続支持体４は、ガイドスクープ５の１つの縦方向セクションのみを覆うため、ガイドスクープ５が耳漏斗１８から突出する構成とすることも可能である。図１ｂに示す耳漏斗１８は前記の実施例において、排出口２４まで回転対称であって、この場合、アタッチメント１の縦軸１２が耳漏斗１８の対応する回転軸を成す。
【０１１０】
図２ａ、図２ｂ、図３ｂ、図４ａ、図４ｂ、及び図４ｃを見ると明らかなように、耳漏斗１８の横断面は接続支持体４から耳漏斗１８の近位開口部１９まで逓減する。この開口部を用いて耳漏斗１８はアタッチメント１を規定通りに使用して耳道３に挿入されている。こうした横断面の逓減により、アタッチメント１の外耳道３への挿入深さを決めることができる。このため、例えば、アタッチメント１から約１５ｍｍ、好ましくは約１０ｍｍまで、ユーザーの鼓膜３１に近づけることができるようになる。
【０１１１】
ガイドスクープ５の近位末端部７又はガイドスクープ底面２５の近位末端部７ａは、本質的に耳漏斗１８の近位開口部１９と結合されている。この配置により、ガイドスクープ底面２５の近位末端部７ａは、耳漏斗１８の近位開口部１９内にあり、この開口部をアタッチメントから外耳道３に流入する空気用の流出開口部２２及び流入開口部２３に分割され、この流入開口部２３を通って空気は外耳道３から再びアタッチメント１に流れ込む。
【０１１２】
耳漏斗付きアタッチメントの実施形態、例えば、ガイドスクープ５がアタッチメント１の接続支持体４から突出しているか、これと接続されている耳漏斗１８付きアタッチメント１の第１の実施形態の場合、ガイドスクープ５は本質的に耳漏斗１８の全長にわたる。このため、乾燥用気流は耳漏斗１８の全長を流れ、非常に制御され、外耳道３や鼓膜の損傷リスク無しに外耳道に流入することができる。
【０１１３】
乾燥効率をさらに高めるために、流出開口部２２を流入開口部２３より小さく加工することが可能である。例えば、流出開口部２２は近位開口部１９の３分の１を占め、流入開口部２３が近位開口部１９の３分の２を占めることが可能である。
【０１１４】
耳漏斗１８の近位開口部１９は通常の場合、接続支持体４の遠位開口部２９より小さいため、アタッチメント１から出る気流の出口速度が増加して、気流による乾燥がさらに維持され、湿った空気は確実に耳道３から、特に速く、完全に排出される。接続支持体４の遠位開口部を通り、気流は装置２からアタッチメント１に流れ込む。
【０１１５】
耳漏斗１８付きアタッチメント１の第１の実施形態の場合のような、耳漏斗付きアタッチメントの実施形態の場合、耳漏斗１８の容量はガイドスクープ底面２５によって、また場合によっては第１のガイドスクープの縁２６と第２のガイドスクープの縁２７によって、入気路２０と排気路２１に分かれる。このために、ガイドスクープ底面２５の縦方向縁１６又は、ある場合はこれと接続されたガイドスクープの縁２６、２７は、耳漏斗１８とその全長で又は部分的にのみ直接接触するか、又は耳漏斗１８から僅かに離れたものとすることが可能である。ガイドスクープ５の全長で接触する場合、入気路２０と排気路２１間は流体学的に絶縁される。ガイドスクープ５と耳漏斗１８が部分的にのみ接触しているか、間隙がある場合、すなわち完全に分離できないとしても、入気路２０に入った空気が排気路２１に入る空気と混ざることはほぼ阻止できる。
【０１１６】
入気路２０は接続支持体４の遠位開口部２９と流出開口部２２を接続する。排気路２１は耳漏斗１８の流入開口部２３と耳漏斗１８の下側にこの筐体の切り欠き部として開けられたアタッチメント１の排出口２４を接続する。この構造において、入気路２０は装置２によって生じた気流又は流体流がユーザーの外耳道３に流入することを可能にし、排気路２１は外耳道３の乾燥に使用された空気又は洗浄又は処置のために使用された流体が外耳道３から大気内へ排出することを可能にする。
【０１１７】
本発明に係るアタッチメント１を外耳道３に挿入するとき、又は入れた状態で、アタッチメント１の規定通りの使用時にガイドスクープ５が変形しないようにするため、耳漏斗１８が接続支持体４及び／又はガイドスクープ５より硬く作られている、好ましくは接続支持体４及び／又はスクープ５より柔軟ではなく作られた構成とすることが可能である。この措置により、耳漏斗１８は、特に、ガイドスクープ５を変形から保護する。例えば、耳漏斗１８はポリエチレン又はポリプロピレン製であってもよく、接続支持体４とガイドスクープ５は熱可塑性エラストマー又はシリコーン製とすることが可能である。
【０１１８】
図３ａはアタッチメント１が装置２（図５ａ、５ｂ、５ｃも参照）と接続され、接続位置にあるアタッチメント１を示す。
【０１１９】
接続のために、アタッチメント１は接続支持体４とセクション毎に装置２の出口１５に挿入されている。接続支持体４の装置側終端部分の嵌合突起部１７は装置２の保持部３４と嵌合しており、装置２とアタッチメント１の接続が不意に緩まないようにしている（例えば、図６ａ又は図９ｂ参照）。原則的に、アタッチメント１と装置２の接続方法は数多く考えうる。このため装置２から出る気流又は液流は、アタッチメント１流入に流れ込むと最初に、アタッチメント１の接続支持体４を通過する。このことは、接続支持体４が出口１５に挿入されておらず、他の方法で装置２と接続されている、例えば、この装置に挿入されている場合にも該当する。
【０１２０】
接続支持体４の周囲に、少なくとも部分的に、囲むように配置したスペーサー２８は装置２の筐体に当たり、このため、接続支持体４が必要以上に深く出口１５に挿入されない構成とする。耳漏斗付きアタッチメントの実施形態の場合、図３ｂに示すような耳漏斗１８付き第１の実施形態の場合、接続の際、耳漏斗１８を接続支持体４に挿入すると、スペーサー２８に当たることが可能である。このとき、接続支持体４と耳漏斗１８は圧入による嵌合で相互に接続されているが、相互に嵌め合わさる嵌合溝と嵌合突起による方法等、他の接続方法も考えられる。
【０１２１】
図５ａは、気流発生装置２と本発明に係るアタッチメントの第１の実施形態による本発明のアタッチメント１から成る本発明の耳乾燥装置を示し、この場合、耳漏斗１８は接続支持体４とガイドスクープ５の一体ユニットから取り外した状態であって、図示していない。
【０１２２】
装置２は好ましくは耳の乾燥専用に設計され、好ましくは携帯可能に制作することが可能である。
【０１２３】
図５ｂは、気流発生装置２及び耳漏斗１８付き本発明に係るアタッチメント１から成る本発明の耳乾燥装置を示す。
【０１２４】
図５ｃは、図５ａ又は５ｂに基づく本発明に係る耳乾燥装置を示す。この場合、アタッチメント１に保護キャップ３０が被さっており、このキャップは装置２の移動中、特にアタッチメント１を保護する。
【０１２５】
図６ａは、アタッチメント１によって条件付けられる本発明に係る装置使用中の気流の流れ方を示す概念図である。この場合、図中の外耳道３内の気流の流れ方は、本発明に係るアタッチメント１の具体的実施形態とは独立的に、一様である。外耳道３内にアタッチメント１を比較的深く挿入するため、アタッチメント１から出た気流は側壁８、９で反射しない。気流は、ガイドスクープ５があるためアタッチメント１から出るとき渦流になるため、外耳道３の中に乾燥のために有利な渦巻場に調整される。
【０１２６】
図６ｂも、耳道３に挿入したアタッチメント１を示すが、挿入深さが図６ａより浅い。こうして外耳道３内部に他の流れが発生するが、この流れもアタッチメント１の選択した実施形態から独立的である。この場合、アタッチメント１から出た気流は外耳道３の側壁８、９に反射するため、外耳道３の中に乾燥のために有利な渦巻場に調整される。
【０１２７】
図６ｃは、耳道３に挿入したアタッチメント１を示すが、この場合は、耳乾燥装置は異なる使用パラメータを用いて使用するため、アタッチメント１から出ていく気流の排気角が異なる。こうして外耳道３内部に他の流れが発生するが、この流れもアタッチメント１の選択した実施形態から独立的である。この場合にも、アタッチメント１から出た気流は外耳道３の側壁８、９に反射するため、外耳道３の中に乾燥のために有利な渦巻場に調整される。
【０１２８】
図７ａ、図７ｂ、図７ｃ、及び図７ｄは図１ａ、図１ｂ、図２ａ、及び図２ｂのそれぞれ線図である。
【０１２９】
図８ａ、図８ｂ、図８ｃ、及び図８ｄは、本発明に係るアタッチメント１の第４の実施形態を示す。第１、第２、及び第３の実施形態に関する上記の全説明はここに説明する第４の実施形態にも該当する。
【０１３０】
さらに、第４の実施形態のアタッチメントの接続支持体４には複数の凹部３２を有する。この場合、凹部は接続支持体４の装置側終端部分に配置され、この終端部分は嵌合突起部１７も成す。図８ｃと８ｄを見てわかるように、凹部３２は角度間隔４５°で配置され、これに対応して、合計８個の凹部３２が接続支持体４の終端部分に配置されている。
【０１３１】
アタッチメント１を装置２と接続するために、アタッチメント１を接続支持体４の終端部分で装置２の出口１５に挿入すると、装置２の保持部３４と嵌合している接続支持体４の嵌合突起部１７は装置２からアタッチメント１が不意に外れるのを防止するが、アタッチメント１は装置２に対して任意の位置に回すことができるため、回した位置に応じて、ガイドスクープ５を多様な方向に向けることができる。アタッチメント１を装置２の特定の旋回位置に固定するために、装置２は、好ましくは出口１５  領域に、少なくとも１つのロック凸部）３３（図９ａと９ｂ）があり、このロック凸部３３が凹部３２に嵌合できる構成となっている。このため凹部３２は装置２に対するアタッチメント１の好ましい旋回位置を示す。
【０１３２】
図１０ａは、液体、例えば、空気、水又は他のケア用液体又は治療液の導入用装置２と接続する前のアタッチメント１を示す。アタッチメント１と装置２を接続するためには、図１０ｂに示すように、アタッチメント１の装置側終端部分を出口１５に挿入することができる。装置２の保持部３４はアタッチメント１が装置２から不意に外れないようにする。ロック凸部３３はアタッチメント１の凹部３２に対応する特定の旋回位置において各凹部３２と嵌合して、アタッチメント１を対応する旋回位置に固定する。アタッチメント１を回してこの旋回位置から外し、アタッチメント１を他の旋回位置に回すことができ、この位置でロック凸部３３は他の凹部３２と嵌合可能である。
【０１３３】
図１１ａと１１ｂは本発明に係るアタッチメント１の第５の実施形態を示す。第１、第２、第３、第４の実施形態に関する上記の全説明はここに説明する第５の実施形態にも該当する。このほか、アタッチメント１のガイドスクープ５のガイドスクープ底面２５に２つの流入エレメント３５を配置している。
【０１３４】
この場合、これらの流入エレメント３５は、図１１ａとから明らかなように直角三角形であって、ガイドスクープ５のほぼ中央縦方向セクションに配置されている。流入エレメント３５の流入面は、接続支持体４を通りアタッチメント１に流れ込む流体に対向しており、好ましくは流れてくる液体流の流れを横断するため、流体の流れを阻害し、渦流を発生させる。この際、耳道に入った流体が１つ又は複数の渦流３６（渦巻）を発生する。図１１ｂから明らかなように、流入エレメント３５は、流入エレメント３５が向き合いつつ、流入エレメント３５間の間隙がガイドスクープ５の近位末端部７に向かうに連れて逓減するようガイドスクープ底面２５に配置されている。
【０１３５】
図１２ａ、１２ｂ、１３ａ、１３ｂ、１３ｃは本発明に係るアタッチメント１の第６の実施形態を示す。上記の第１、第２、第３、第４、第５の実施形態に関する全説明は、ここに説明する第６の実施形態にも該当する。さらに、この実施形態のガイドスクープ底面２５は上記の実施形態の他の場合のような対称配置ではなく、非対称に形成されている。
【０１３６】
この非対称性は、ガイドスクープの縁２６、２７の対向するセクションの高さを変える、又は、ガイドスクープ底面２５をガイドスクープ底面２５の第２の縦方向セクションの領域で第１の縦方向セクションに対してずれている及び／又は回っていることによって実現可能である。特に、第２の方向に湾曲したガイドスクープ２５の第２セクション５ｂは図のようにガイドスクープ２５の第１の方向に湾曲した第１セクション５ａに対して捻れた状態とすることができる。
【符号の説明】
【０１３７】
１  アタッチメント
２  装置
３  外耳道
４  接続支持体
５  舌形ガイドスクープ
５ａ  ガイドスクープの第１セクション
５ｂ  ガイドスクープの第２セクション
５ｃ  ガイドスクープの接続支持体内のセクション
６  ガイドスクープの遠位末端部
７  ガイドスクープの近位末端部
７ａ  ガイドスクープ底面の近位末端部
８  耳道の側壁上部
９  耳道の側壁下部
１０  経路
１１  外耳道陥凹
１２  縦軸
１３  第１の頂点
１４  第２の頂点
１５  出口
１６  縦方向縁
１７  嵌合突起部
１８  耳漏斗
１９  近位開口部
２０  入気路
２１  排気路
２２  流出開口部
２３  流入開口部
２４  排出口
２５  ガイドスクープ底面
２６  第１のガイドスクープの縁
２７  第２のガイドスクープの縁
２８  スペーサー
２９  接続支持体の遠位開口部
３０  保護キャップ
３１  鼓膜
３２  凹部
３３  ロック凸部
３４  保持部
３５  流入エレメント
３６  渦流
【図１ａ】
2021531145.tif 000003
【図１ｂ】
2021531145.tif 000004
【図２ａ】
2021531145.tif 000005
【図２ｂ】
2021531145.tif 000006
【図３ａ】
2021531145.tif 000007
【図３ｂ】
2021531145.tif 000008
【図４ａ】
2021531145.tif 000009
【図４ｂ】
2021531145.tif 000010
【図４ｃ】
2021531145.tif 000011
【図５ａ】
2021531145.tif 000012
【図５ｂ】
2021531145.tif 000013
【図５ｃ】
2021531145.tif 000014
【図６ａ】
2021531145.tif 000015
【図６ｂ】
2021531145.tif 000016
【図６ｃ】
2021531145.tif 000017
【図７ａ】
2021531145.tif 000018
【図７ｂ】
2021531145.tif 000019
【図７ｃ】
2021531145.tif 000020
【図７ｄ】
2021531145.tif 000021
【図８ａ】
2021531145.tif 000022
【図８ｂ】
2021531145.tif 000023
【図８ｃ】
2021531145.tif 000024
【図８ｄ】
2021531145.tif 000025
【図９ａ】
2021531145.tif 000026
【図９ｂ】
2021531145.tif 000027
【図１０ａ】
2021531145.tif 000028
【図１０ｂ】
2021531145.tif 000029
【図１１ａ】
2021531145.tif 000030
【図１１ｂ】
2021531145.tif 000031
【図１２ａ】
2021531145.tif 000032
【図１２ｂ】
2021531145.tif 000033
【図１３ａ】
2021531145.tif 000034
【図１３ｂ】
2021531145.tif 000035
【図１３ｃ】
2021531145.tif 000036
【手続補正書】
【提出日】令和2年5月13日(2020.5.13)
【手続補正１】
【補正対象書類名】明細書
【補正対象項目名】全文
【補正方法】変更
【補正の内容】
【発明の詳細な説明】
【技術分野】
【０００１】
本発明は、気流、好ましくは暖気流発生装置又は流体導入装置用であって、外耳道に貯留した水分を乾燥させて除去するために、人間又は動物の外耳道に少なくとも部分的に挿入する構造を持つアタッチメントに関する。
【０００２】
さらに、本発明は、気流発生装置及び本発明に係るアタッチメントから成る耳乾燥装置に関する。
【０００３】
本発明はさらに、人間若しくは動物の外耳道のケア又は治療用装置に関する。
【背景技術】
【０００４】
根治的乳様突起切除術のため、又は鼓膜の穿孔又は他の外耳道疾患のためであるかを問わず、慢性的に湿った耳道に悩む患者又は補聴器ユーザーの場合、外耳道から水分を効率的に除去できないという問題にしばしば直面する。さらに、入浴中、シャワー中、又は水泳中に、水が耳道に侵入し、聴力低下につながる場合もある。また、細菌や微生物、汚れが外耳道に容易に侵入し、炎症を起こす可能性があり、こうした場合には液体の貯留を迅速に除去することが必要になる。
【０００５】
しかしながら先行技術においては、危険を伴わずにこのような除去を効率的に行うことができるような装置は未だ知られていない。例えば、外耳道を乾燥させるための気流を耳道に導入することは知られている。外耳道に挿入可能な気流発生装置用のアタッチメントとしては、ＥＰ０９３７４２２Ｂ１に記載がある。同特許が提案したアタッチメントは、一方では、外耳道に導入された空気を処置する耳の鼓膜まで直接導入するため、損傷や後遺症につながる可能性があり、他方では、このアタッチメントの形状からして患者の耳道に入らないか、数ｍｍしか挿入することができず、通常長さ２ｃｍから２．５ｃｍある耳道の鼓膜寄りの奥に貯留した水分を全く除去できないか、長時間かけて及び／又は気流をより多く集中的に導入せずには除去できない。
【０００６】
これと同様に、流体を使用して耳垢を外耳道から除去する際、流体が鼓膜に直接接触すれば、鼓膜が損傷する恐れがある。同時に、外耳道に耳垢が残留し、流体が外耳道全体に到達しなければ、外耳道の洗浄を十分に行うことができない。外耳道の洗浄装置としては、例えば、ＥＰ０２４３２６１ＡｌやＤＥ６９２１４６９０Ｔ２に記載がある。
【０００７】
外耳道のケアや治療のために流体を外耳道に導入する際にも、流体が鼓膜まで直接導入されれば、鼓膜が損傷する可能性がある。さらに、このような流体を用いる外耳道のケア又は治療の効果は、流体が外耳道全体に到達しなければ、最大限に発揮されない。
【発明の概要】
【発明が解決しようとする課題】
【０００８】
以上の背景を基に、本発明の目的は、気流の利用によって人間又は動物の外耳道から、鼓膜を損傷する危険を伴わず、水分を迅速かつ効率的に除去することができる、気流、好ましくは暖気流発生装置用アタッチメントを提供することである。
【０００９】
さらに、提供されるアタッチメントが複雑でなく、多様な耳道に適合可能であり、簡素な構造を持ち、製造コストが低いことも重要である。
【００１０】
本発明に基づくアタッチメントを含む耳乾燥装置は、乾燥効率を大幅に改善するものである。本発明に基づく耳乾燥装置は、１５秒間の使用のみで顕著な乾燥効果を生むことを目指している。完全乾燥は一回の使用時間が３０秒又はそれ以下で実現可能なものとする。
【００１１】
このため、本発明の目的は、鼓膜損傷の危険を伴わず、人間又は動物の外耳道から耳垢を流体で迅速かつ効率的に排出することを可能にする、流体導入装置用アタッチメントを提供することである。
【００１２】
最後に、本発明の目的は、鼓膜損傷の危険を伴わず、流体を用いて人間又は動物の外耳道の迅速かつ効率的なケア又は治療を可能にする、流体導入装置用アタッチメントを提供することである。
【課題を解決するための手段】
【００１３】
本発明の基本的課題の１つを、本発明に基づき、装置との接続用支持体及び装置からの通気又は液体注入用ガイドスクープ底面を持つ接続用支持体から突出した舌形ガイドスクープを形成し、さらに、ガイドスクープは接続用支持体に対して気流又は液体流の方向の下流に位置し、さらに、ガイドスクープの第１セクションのガイドスクープ底面縦断面のプロファイルが第１の方向に湾曲しており、ガイドスクープの第２セクションのガイドスクープ底面縦断面のプロファイルが第２の方向に湾曲しており、これら両セクションが逆向きに湾曲している、少なくとも部分的に人間又は動物の外耳道に挿入するように構成された、気流、好ましくは暖気流発生装置用又は流体導入装置用アタッチメントによって解決する。この場合、多種多様な接続支持体の形状がありうる。この接続支持体は、例えば、アタッチメントの本質的部分を成すことが可能であり、アタッチメントを安定させることができる。さらに、この接続支持体は、アタッチメントの安定性を本質的に増すことに寄与せずとも、アタッチメントを装置に接続することを可能にするアタッチメントのセクション（区画）を成すのみであってもよい。
【００１４】
本発明に基づき装置が提供する気流は、本発明に係るアタッチメントの上を通り、外耳道内に入り、さらにこの際、ガイドスクープは、外耳道内部を乾燥するために必要であり特に有利なように気流の向きを調整する。この場合、気流は接続支持体の上を通り、アタッチメントに流れ込み、次に接続支持体を通り、さらにガイドスクープの底面上を流れ外耳道方向に向かって流れる。本発明に係るガイドスクープのプロファイルによって、又はガイドスクープ底面の湾曲によって、外耳道内に気流を特に有利に気流を配分する。特に、ガイドスクープ底面の縦断面が平坦なアタッチメントと比較して、より優れた乾燥効果が得られる。この場合、特に有利な点は、接続支持体の側から見て、ガイドスクープ底面と接するガイドスクープ底面の第１セクションが成す正接線の勾配は、接続支持体から離れるに従い逓減し、ガイドスクープ底面の第２セクションでは接続支持体から離れるに従い逓増することである。気流の向きは、本発明に係るアタッチメントにより、外耳道内で接近する渦流が成す渦巻場を形成するように向きを調整できる。この渦巻場は、アタッチメントをユーザーの外耳道に挿入する深さに応じて、ガイドスクープにより発生する気流の回転によって発生する、さらに／又は鼓膜に至る外耳道の側壁での気流の反射によって発生する可能性がある。このため、気流が鼓膜に直接当たることなく、外耳道の側壁に対して、またこれらの側壁においてのみ、好ましくは複数回、反射してから、鼓膜に沿って流れるため、鼓膜の表面を撫でるように流れる。例えば、気流が耳道の側壁上部に当たり、そこで反射し、鼓膜に沿って外耳道側壁の下へ流れ、ここで、気流が再度反射して、最後に耳たぶの方向へ流れることが可能である。また、気流が外耳道の側壁に何回も反射してから、気流が鼓膜に到達することも可能である。本発明に係るアタッチメントを使用すると、特に、外耳道陥凹、すなわち、鼓膜に向かって傾斜して下降する外耳道の底面とこの底面の上に被さるように斜めに付いている鼓膜との間で鼓膜の直近に生じる窪みから水分の貯留を除去することが可能となる。気流の渦流によって、渦の発生及び／又は鼓膜につながる外耳道の側壁での反射によるかを問わず、気流が鼓膜の上を通り、外耳道陥凹を撫でるように流れるが、鼓膜には正面から当たらないようになる。本発明に係るアタッチメントにより条件づけられる外耳道内での気流の流れ方に基づき、非常に短時間での十分な乾燥が可能となる。例えば、本発明に係るアタッチメントを装着した本発明の耳乾燥装置（後半で説明する）を使用すると、１５秒後ですでに顕著な乾燥効果を得ることができる。外耳道を完全に乾燥するための、すなわち耳道の湿度を通常の状態まで再び下げるための使用時間は約３０秒又はそれ以下で十分である。
【００１５】
さらに、本発明に係るアタッチメントを流体導入装置と併用した場合、このアタッチメントによって外耳道から耳垢を、特に、丁寧かつ効果的に除去できることが判明した。本発明に係るガイドスクープに基づいて、流体、例えば水は、外耳道の中を洗浄するため特に有利な流体の流れを発生させる。上記の気流と類似して、流体（液体）も、外耳道に流入すると、強制的に接近し合う渦流が成す渦巻場を発生するため、一方では、鼓膜に液体が直接当たらず、これと同時に流体の渦流及び／又は外耳道側壁での反射によって、外耳道から耳垢を、特に側壁にこびりついた耳垢を、特に効果的に除去することが確実になる。
【００１６】
さらに、本発明に係るアタッチメントを流体導入装置と併用すると、アタッチメントによって外耳道を特にいたわりつつ、効果的なケアないし治療が可能になることが判明した。本発明に係るガイドスクープに基づいて、流体は外耳道内で外耳道のケア又は治療のために特に有利な流れ方をする。この場合、鼓膜の損傷を防止でき、ケア又は治療用の流体が直接鼓膜に向けられず、本発明に係る流体の渦流及び／又は反射によって外耳道の側壁に特によく届くため、ケア又は治療の効果を最大限に実現することができる。
【００１７】
本発明の好ましい実施形態では、第１セクションと第２セクションが直結した連続的構成とする。特に、ガイドスクープ底面の第１セクションと第２セクションが、相互に円滑に繋がらずに分離されているのではなく、平坦に連続的に推移する場合、流体力学的に有利である。
【００１８】
このため、気流は、目的の乾燥効果のために特に有利な外耳道内の乾燥に適した流れ方をする。
【００１９】
鼓膜に優しい乾燥を可能にする上記発明による効果を実現するためには、舌形ガイドスクープを外耳道に挿入する、ガイドスクープによって生じる気流の渦流又は、ガイドスクープによって生ずる外耳道壁面での反射及び／又は渦流のいずれかを活用することで原則的に十分であるが、追加的にアタッチメント用耳漏斗を装着すると有利である。
【００２０】
このため、本発明に係るアタッチメントのさらに他の好ましい実施形態においては、アタッチメントが耳漏斗を含み、この耳漏斗が舌形ガイドスクープを少なくとも部分的に、好ましくはその全体を、縦方向にわたって包み、近位開口部を有する構成とし、所定の使い方においてはこの近位開口部側からアタッチメントを外耳道に挿入または取り付け、近位開口部が耳漏斗の直近開口をなし、同時に、耳漏斗が接続支持体に接続され、この支持体から突出しているかあるいは接続支持体が耳漏斗の終端セクションを成す。
【００２１】
この場合、アタッチメントを規定通りに使用し、ユーザーの外耳道に挿入した場合、耳漏斗は、外耳道ないしその側壁と直接接触するアタッチメントの一部として機能する。耳漏斗は、アタッチメントの接続支持体と接続され、このアタッチメントから突出する、又は、接続支持体が耳漏斗の１つの末端部を成すことができる。ガイドスクープは、少なくとも部分的に、好ましくはノズル型耳漏斗の内側に配置されている。
【００２２】
ガイドスクープが耳漏斗から突出しないことが有利である。耳漏斗付きのアタッチメントを人間又は動物の外耳道に入れた場合、耳漏斗は、一方では容易に広げられ、通常は傾斜している外耳道の乾燥のために有利な位置決め、すなわち、容易に角度を調整でき、他方では、例えば、耳漏斗の形状とサイズを適宜選択することによって、アタッチメントを大人や子供向けに使用するため等、耳漏斗を用いると異なる所与の条件に容易に適合させることも可能である。上記の外耳道内の渦流の発生及び反射を促すために、耳漏斗の長さは、ガイドスクープの縦方向プロファイルに合わせて調整することができる。外耳道の乾燥のためにアタッチメントを規定通りに使用した場合、アタッチメントを耳漏斗の近位開口部側からユーザーの外耳道に挿入するかあてがう。この場合、さらに以下においても、近位とは、ユーザーの鼓膜に対する特定のエレメントの位置を指す。具体的に言うと、近位開口部とは、ユーザーの鼓膜に近い方の耳漏斗の開口部を意味する。
【００２３】
さらに、本発明に係るアタッチメントの他の好ましい実施形態においては、アタッチメントの縦断面を見た場合、ガイドスクープ底面は縦断面と直交する接続支持体の横断面の中心を通るアタッチメントの縦軸と交わる構成とする。
【００２４】
アタッチメントの舌形ガイドスクープは、接続支持体の横断面の中心を通る縦軸と交わる。本発明に基づき、このことは、アタッチメントの側面から見て、ガイドスクープがこの縦軸に対して、少なくとも部分的に、斜めのプロファイルを持つことを前提とする。好ましくはガイドスクープは流れる方向に向かって見て、その全長に渡り、勾配がなくならない形状とすることができる。ガイドスクープ、特にガイドスクープ底面の縦断面は、アタッチメントの縦軸を横切るため、気流の向きはユーザーの鼓膜に直接当たらないように制御される。
【００２５】
本発明に係るアタッチメントのさらに他の好ましい実施形態によると、アタッチメントの縦断面を見た場合、ガイドスクープ底面は耳漏斗の縦軸と交わり、この縦軸が耳漏斗の近位開口部の中心を通る構成とする。
【００２６】
耳漏斗が回転対称的である（好ましくは耳漏斗の筐体にある出口を除きこの対称性に該当する）限り、耳漏斗の縦軸はその回転軸と一致する。ガイドスクープは、縦断面で見た場合、ガイドスクープ底面が耳漏斗の縦軸と交わるように耳漏斗内に配置することができ、この場合、ガイドスクープ底面が耳漏斗の近位末端部で耳漏斗の縦軸と交わる場合、実現しようとしている渦流又は反射のため、ひいては意図している乾燥のために、特に効果的であることが判明した。
【００２７】
好ましくは耳漏斗の縦軸はアタッチメントの縦軸と一致する。このため本発明に係るアタッチメントの構造を特に簡素なものとすることができる。
【００２８】
本発明に係るアタッチメントのさらに好ましい実施形態では、舌形ガイドスクープは、ガイドスクープ底面から突出した２つのガイドスクープの縁、すなわち、第１のガイドスクープの縁と第２のガイドスクープの縁を成し、この場合、気流発生装置から流出する空気の１つの経路又は経路の一部を、ガイドスクープ底面とガイドスクープの縁が構成する。
【００２９】
これらのガイドスクープの縁によって、気流のガイドスクープに沿う、方向が定まり制御された流れが確実になり、さらに外耳道内に気流が制御されて確実に導入されるようになる。また耳漏斗付きアタッチメントを使用する実施形態の場合にも、耳漏斗の内壁に生じて欲しくない気流の反射を防止することもできる。
【００３０】
この際、ガイドスクープの縁は、例えば、ガイドスクープ底面の全長にわたって、又はガイドスクープ底面の１つ又は複数の縦方向セクションにわたって耳漏斗と接触することができる。代替的には、ガイドスクープの縁を耳漏斗から離した構成とすることも可能である。
【００３１】
さらに好ましい実施形態では、第１のガイドスクープの縁がガイドスクープ底面の第１の縦方向縁から突出し、第２のガイドスクープの縁が第１の縦方向縁の反対側にあるガイドスクープ底面の第２の縦方向縁から突出した構成とする。代替的に、第１のガイドスクープの縁はガイドスクープ底面の第１の縦方向縁により、また第２のガイドスクープの縁がガイドスクープ底面の第２の縦方向縁により、形成される構成とすることも可能である。
【００３２】
この場合、ガイドスクープの縁はガイドスクープ底面をこの底面の相互に向かい合う縦方向側面の境界線をなし、気流が規定通りの乾燥のために外耳道に入る前に、乾燥用の気流が経路からアタッチメントの他の領域、例えば排気路に可能な限り外れなくなる。これに対し、ガイドスクープの縁が縦方向の全長にわたって耳漏斗と接触している場合、前記の溢れた気流が空気の経路から他の領域、例えば排気路にまったく流れない構成にすることができる。このため経路と排気路はガイドスクープによって流体学的に相互に絶縁される、又は分離されることができる。特に有利な乾燥効果は、ガイドスクープの縁がガイドスクープの全長にわたるプロファイルを成す場合に実現可能である。ガイドスクープの縁は、ガイドスクープ底面と一体加工されていることも可能であり、また、ガイドスクープ底面の第１の縦方向縁とその反対側の第２の縦方向縁によって形成されたものとすることが可能である。ガイドスクープの縁は、ガイドスクープの縁の間にあるガイドスクープ底面と比較して、多様な湾曲を成す断面プロファイルを成すことができる。ガイドスクープ底面とガイドスクープの縁との移行部は、連続していることができ、例えば、ガイドスクープ底面の断面プロファイルの勾配ないし湾曲の変化によってのみ形成することができる。このため、ガイドスクープ底面とガイドスクープの縁を明確に区別しにくくすることができる。例えば、ガイドスクープ底面とガイドスクープの縁は、ガイドスクープ底面とガイドスクープの縁が成すガイドスクープの全断面が本質的にU字型を成すように構成することが可能である。
【００３３】
本発明に係るアタッチメントのさらに他の好ましい実施形態では、舌形ガイドスクープが接続支持体から突出し、好ましくは接続支持体の中を通るセクションをなす構成とする。
【００３４】
この構成は、特に、アタッチメントに耳漏斗が無い、又は着脱式耳漏斗を使用する場合に有利である。この場合、接続支持体は、一方では装置との接続用として機能し、他方では、アタッチメントをガイドスクープを支持するように安定させることもできる。
【００３５】
鼓膜及び／又は外耳道側壁の損傷を防止するため、本発明に係るアタッチメントのさらに他の好ましい実施形態によれば、舌形ガイドスクープが耳漏斗及び／又は接続支持体に完全に包まれた構成とする。
【００３６】
本発明の本実施形態によるアタッチメントの場合、ガイドスクープ全体がアタッチメントの中に隠れるため、ユーザーの鼓膜及び／又は外耳道側壁の負傷の危険を最小限にすることができる。特に、ガイドスクープの第１と第２セクションは耳漏斗内部に、また、接続支持体の中を通るガイドスクープセクションを接続支持体の中に配置することができる。
【００３７】
本発明に係るアタッチメントのさらに他の好ましい実施形態によると、耳漏斗が接続支持体から耳漏斗の近位開口部へ向かうにつれて細くなる構成とする。
【００３８】
近位開口部の輪郭は、好ましくは直径７ｍｍを超えない円形とする。このため、耳漏斗の形状は、耳道に挿入する耳漏斗の少なくとも近位末端部で外耳道の形状に適合されているため、アタッチメントを特に容易に痛みを感じることなく外耳道に挿入しうる。この場合、本発明に係るアタッチメントは、２０ｍｍ、好ましくは１５ｍｍ、より好ましくは１０ｍｍまで、ユーザーの鼓膜に近づけて挿入することができるため、上記の外耳道内の接近し合う渦流で成す渦巻場が維持され、外耳道陥凹内に貯留した液体の乾燥のために有利に作用しうる。 実現可能な鼓膜からの最短距離は、男性、女性、子供向け用途に合わせたアタッチメントの適合性に応じて変えることができる。
【００３９】
より好ましくは、ガイドスクープの鼓膜（３１）直近の近位末端部、好ましくはガイドスクープ底面の近位末端部が、本質的に耳漏斗の近位開口部の内側と一体化されていることである。
【００４０】
本発明の前記実施形態の場合、ガイドスクープは本質的に耳漏斗と一体化されている。このため気流が耳漏斗の近位開口部の上を通りアタッチメントから出るとき、外耳道内へ特に良好な向きに流すことが可能になる。アタッチメントから出る気流が成す耳漏斗又はアタッチメントの縦軸と成す角度も、アタッチメントから出る気流に発生すべき回転も、本実施形態において特に良好に調整される。特に、気流が外耳道の側壁に当たる入射角がさらに良好に予め決まる。
【００４１】
本発明に係るアタッチメントのさらに他の好ましい実施形態によれば、ガイドスクープの近位末端部、好ましくはガイドスクープ底面の近位末端部が、耳漏斗の近位開口部をアタッチメントから耳道への流出空気用の排気開口部と耳道からアタッチメントへの流入空気用の投入開口部に分かれる構成とする。
【００４２】
この場合、一方では、耳漏斗の近位開口部の上を通り、乾燥用の乾燥気流、好ましくは暖気流が、アタッチメントから外耳道に、すなわち、流出開口部を通り、他方では、外耳道から出ていく湿った空気は、近位開口部を通るが、再びアタッチメントに、すなわち流入開口部領域に入る。このため、乾燥用に使用された空気も耳道から流出することが耳漏斗により可能になり、耳道内に流れが滞留しない。この場合、湿った空気は水分を吸収した直後、外耳道の側壁から絶縁されて、外耳道から直ちに再び出ていくため、乾燥効果が改善される。このため、近位開口部領域において、乾燥用の気流は外耳道に入る前に、湿気た空気と混ざらなくすることが確実になる。この場合、流入開口部と流出開口部の間に流体が行き交わないように分離されるようにガイドスクープの近位末端部ないしガイドスクープ底面の近位末端部及び／又はガイドスクープの縁は耳漏斗の内面と接触している。
【００４３】
本発明のさらに他の好ましい実施形態では、舌形ガイドスクープは、耳漏斗の容積をアタッチメントから耳道に流入する空気用の入気路と、耳道からアタッチメントに流入する空気用の排気路とに分割し、この場合、好ましくは入気路が接続支持体と流出開口部を連結し、さらにこの際、好ましくは排気路が流入開口部とアタッチメントの排出口を連結する構成とする。
【００４４】
この構造によって、乾いた気流と外耳道から出る湿った空気はアタッチメント内を可能な限り分離されて通過することができる。この場合、乾いた気流は、好ましくは暖気流は、最初に気流発生装置を通して発生し、接続支持体を通り、ガイドスクープの上を経由して耳漏斗の入気路へ流れ、外耳道に入る。外耳道、特に外耳道陥凹の乾燥後、湿った空気は外耳道から出て流入開口部を通り、排気路を経由して耳漏斗の排出口へ流れ、この排出口を通って湿った空気はアタッチメントから排出される。このため、アタッチメント内部で、入気路及び排気路を通る空気質量の混合は全く生じないか極めて僅かしか生じないため、乾燥効率がさらに高まる。
【００４５】
概して、ガイドスクープ底面又はガイドスクープの縁は、耳漏斗、特に耳漏斗の内面と、全く接触しないか、耳漏斗の全長にわたって接触する、又は耳漏斗の近位開口部領域でのみ接触する。ガイドスクープ底面又はガイドスクープの縁が耳漏斗の一部と接触し、セクションの一部において耳漏斗、すなわち耳漏斗の内面と離れている実施形態の変形例も考えうる。
【００４６】
さらに他の好ましい実施形態では、入気路の断面が流れの方向に進むにつれ細くなる構成とする。
【００４７】
この場合、流れる方向とは、気流が外耳道に入るために入気路の中を流れる方向である。好ましくは連続体である入気路の断面がこのように逓減するため、気流がアタッチメントから出るときの出口速度が調整され、必要な乾燥効果のために特に有利な出口速度の選択（調整）が可能である。
【００４８】
アタッチメントは、アタッチメントの排出口が外耳道の外になるような寸法とする。この場合、排出口は特に好ましくは耳漏斗の筐体壁面にある開口部が成し、特に好ましくは接続支持体と直結している耳漏斗セクションに形成されている。
【００４９】
このため、乾燥用に使用された湿った空気ないし耳道を通過した流体は、接続支持体、又は装置の中にさえ入らなくなり、耳漏斗領域においてでアタッチメントからすでに排出される。この構造によって、アタッチメント及び装置本体の構造はさらに簡素化される。 全体的に、この措置によってアタッチメントの製造費を安価に抑えることができる。 接続支持体の先に配置した耳漏斗セクションに排出口を配置してあることによって、以上のほかにも、排出部を特に簡素な方法で加工することが可能になる。この場合、排出口を耳漏斗の、アタッチメントを規定通りに使用した場合少なくとも部分的に、好ましくは全体が、ユーザーの外耳道から突出したセクションに配置されている。
【００５０】
本発明に基づき、アタッチメントはさらに以下の構成とすることが可能である。
−接続支持体とガイドスクープが一体化されており、好ましくはユニットとして耳漏斗と結合されている、又は
−耳漏斗とガイドスクープが一体化され、好ましくはユニットとして耳漏斗と結合されている、又は
−接続支持体、ガイドスクープ、耳漏斗が一体化されている。
【００５１】
接続支持体とガイドスクープが一体化されている場合、多様に構成される耳漏斗を同一の接続支持体と組み合わせ、ガイドスクープを含む、別個の交換部品として提供可能なユニットとして使用することができる。このため、接続支持体又はガイドスクープを交換することなく、アタッチメントを多様な耳道に適合させることができる。この点は、とりわけ、装置の空気又は流体の出口のサイズと形状に応じた接続支持体の構成が可能であるため、使用される装置毎に調整されているため、特に有利である。
この構成により、耳漏斗は、アタッチメントの他の構成部品とは独立的に、ユーザー層別にカスタム化することが可能になる。例えば、耳漏斗の素材及び／又はサイズ、形状は、アタッチメントを男性か女性の成人又は子供に応じて選択することができ、同時にアタッチメントの残りの構成部品は、アタッチメントと組み合わせて使用する装置別に合わせて調整することができる。このため、耳漏斗は交換が容易であり、アタッチメントの他の構成部品から独立的に後付け可能である。耳の処置毎に耳漏斗を交換できるため、衛生面においても非常に有利である。
【００５２】
耳漏斗とガイドスクープが一体型の場合、アタッチメントを規定通りに使用すればユーザーの外耳道と接触する（こともありうる）アタッチメントの全部品、すなわち耳漏斗とガイドスクープは、別個の交換部品として提供し、接続支持体と接続して使用することができる。このため、耳漏斗とガイドスクープで構成されるユニットを使用の度に交換できるため、本発明に係るアタッチメントを特に衛生的に使用することができる。
【００５３】
耳漏斗、ガイドスクープ、接続支持体が一体化された構成の場合、アタッチメント全体を別個の交換部品として提供でき、使用毎に交換することができる。さらに本実施形態は非常に費用効果が高い。
【００５４】
さらに他の好ましい実施形態によれば、接続支持体が耳漏斗の終端セクションによって形成された構成とする。
【００５５】
特に耳漏斗、ガイドスクープ、接続支持体が一体化されている場合、追加的な別個の部品が不要になるため、本発明に係るアタッチメントをよりコンパクトかつ費用効果的に生産可能になる。
【００５６】
本発明の基本的課題は、気流、好ましくは暖気流発生装置及び本発明に係る前記の実施形態によるアタッチメントから構成される耳乾燥装置によっても解決される。
【００５７】
以上と類似の方法により、本発明のもう１つの基本的課題を、流体導入装置及び前記実施形態の１つに基づく本発明に係るアタッチメントで構成された、人間又は動物の外耳道のケア又は治療用の装置により解決する。
【００５８】
本発明に係るアタッチメントの１つの好ましい実施形態においては、接続支持体を、アタッチメントを回せるように装置と接続できるように取り付ける構成とする。
【００５９】
アタッチメントの向きとこれにともない（暖かい）空気又は流体が耳道に流入する方向は、具体的な用途（乾燥、耳垢除去、ケア又は治療液体の耳道への投与）に応じて選択する、又はユーザー本人のニーズに適合させることができる。
【００６０】
この場合、アタッチメントを特定の旋回位置で装置に固定できるようにするために、接続支持体の筐体外面には、装置の少なくとも１つのロック凸部と嵌合しうる少なくとも１つの凹部があると、特に有利である。
【００６１】
これによって、例えば、耳道の乾燥のために最適なアタッチメントの特定の旋回位置を定めることが可能となり、さらに、アタッチメントは容易に他の旋回位置に回すことができるが、規定の旋回位置で装置のロック凸部と嵌合する。ロック凸部は装置内部で流体の出口領域に配置することができる。
【００６２】
アタッチメントを異なる旋回位置で装置に固定できるようにするために、複数の凹部が接続支持体の筐体外面上に間隔を置いて配置されていることが、特に有利である。
【００６３】
このため、特定の用途別に（乾燥、耳垢の除去、耳道へのケア又は治療液の投与）最適な位置を選択可能な、異なる旋回位置を定めることが可能となる。
【００６４】
個々の凹部間の角度間隔を１８０°、好ましくは９０°、より好ましくは４５°とすると有利である。すなわち、角度間隔１８０°の場合、接続支持体の筐体外面に凹部が２つ、角度間隔９０°では４つ、角度間隔４５°では８つの凹部を等間隔で配置することができることを意味する。
【００６５】
この構成によればアタッチメントを装置に異なる最適な旋回位置で固定することができる。
【００６６】
（暖かい）空気ないし流体がユーザーの外耳道に入ることができるようにするため、本発明に係るアタッチメントの他の好ましい実施形態によると、装置から出てアタッチメントを通る流体に渦流を起こすために、ガイドスクープ底面から少なくとも１つの流入エレメントが突出した構成とする。
【００６７】
このような流入エレメントは流れを妨害し、実質的に発生している流体の流れがアタッチメントを通るうちに渦流を生じ始め、この流れは流入エレメントを通った後、回転運動（渦巻）を生ずる。このようにして１つ又は複数の流入エレメントによって変更された流れにより、上記の有利な乾燥及び洗浄、さらに処置の効果がさらに強化される。
【００６８】
好ましくはガイドスクープ底面に向き合って配置された少なくとも２つの好ましくは平らな流入エレメントを配置した構成とする。この場合、流入エレメントは流体の流れる方向又はアタッチメントの縦方向で（奥に向かうにつれて）近づき合うように向き合っている。
【００６９】
接続支持体を通ってアタッチメントに入る流体の流れは、流入エレメントによって渦流となり、この場合、これらのエレメントが対で向かい合って配置されているため、流入エレメント間に位置するアタッチメントの領域では流体の流れが圧縮されるため、乾燥、耳垢の除去又はケア又は治療流体の耳道への投与のために所望の効果を得るために有利である。
【００７０】
他の好ましい実施形態において、流入エレメントは三角形、好ましくは直角三角形を成す。
【００７１】
この場合、流入エレメントの直角な二辺のうちの一辺がガイドスクープ底面の近位末端部へ向き、接続支持体を通ってアタッチメントに入る流体の流れが三角形の斜辺上を通って乱流又は渦流を発生するように、三角形の直角な二辺のうちの一辺をガイドスクープ底面に固定することができる。
【００７２】
接続支持体側を向いている流入エレメントの流入面が斜めに向かい合っている場合が特に有利となる。
【００７３】
この構成によれば、流入面は装置から出てアタッチメントに入る流体の方を向く。流入面に流体の流れが当たることにより、アタッチメント上で（この直前にガイドスクープ底面上で近づき合う）流体の流れる方向が特に有利に変わる。
【００７４】
本発明に係るアタッチメントのさらに他の好ましい実施形態では、接続支持体の側から見て、向かい合う流入エレメントの間隔がアタッチメントの奥に向かうにつれ細くなる構成とする。
【００７５】
このようにして形成された流入エレメントによって発生する流体の流れは、接近し合う２つの渦流となり、この際、各渦流がそれぞれの流入エレメントにより発生する。対向して配置した流入エレメントの対がアタッチメントの縦方向に、すなわち、流体の流れる方向に漸近することにより、耳道内で所望の用途のために特に有利な流れの配分が発生する。
【００７６】
本発明に係るアタッチメントの他の好ましい実施形態において、ガイドスクープ底面は、少なくともガイドスクープ底面の第２の縦方向セクション、好ましくは第２セクションの領域において、第１の縦方向セクションに、好ましくは第１セクションに対向して、捩れている。
【００７７】
例えば、ガイドスクープ底面は幾何学的な（超）線織面に類似した形に構成されていることができるため、第２の縦方向セクション、好ましくは第２の縦方向セクションの頂点が第１の縦方向セクション、好ましくは第１の縦方向セクションの頂点に対して、アタッチメントの縦軸を横切る曲線に沿ってずれている、及び／又は第２の縦方向セクションの方向が第１の縦方向セクションの方向から乖離する。
【００７８】
この構成によって、耳道に導入された流体の流れが確実に回転するようになる。この運動によって流体が分かれて流れるため、特に効果的な耳道の乾燥ないし洗浄が可能になる。アタッチメントから耳道に導入されるケア用又は治療用の液体も、より良好に耳道内で配分されるため、既知の処置法では届かなかったような箇所にも到達できるようになる。
【００７９】
この場合、第１のガイドスクープの縁と第２のガイドスクープの縁、特にガイドスクープの縁の対向するセクションの高さが異なっていると有利でありうる。
【００８０】
上記の、好ましい実施形態として説明された実施形態は、本発明に基づき形成されるガイドスクープと有利な相乗効果を生み出す一方では、これと同等の優位性はガイドスクープないしガイドスクープ底面の特殊形状から独立的にも実現することができる。特に以下に説明する実施形態は本発明の発想に含めて考案されている。
【００８１】
気流、好ましくは暖気流発生又は流体導入装置用の、少なくとも部分的に人間又は動物の外耳道に挿入するように形成されたアタッチメント。この場合、アタッチメントは、装置との連結用接続支持体を成すと同時に、装置から流出する流体の通路になるガイドスクープ底面がある舌形ガイドスクープも有し、さらにこの場合、接続支持体は、アタッチメントを旋回可能な状態で装置と接続するように設計されており、この場合、好ましくは接続支持体の筐体外面には、アタッチメントを装置に特定の旋回位置で固定するために装置の少なくとも１つのロック凸部と嵌合可能な少なくとも１つの凹部を有し、この場合、アタッチメントを装置の異なる旋回位置で固定できるようにするため、好ましくは複数の凹部を接続支持体の筐体外面上に、好ましくは、角度間隔１８０°、好ましくは９０°、より好ましくは４５°の間隔で配置してある。
【００８２】
気流、好ましくは暖気流発生突出装置又は流体導入装置用の、少なくとも部分的に人間又は動物の外耳道に挿入するように形成されたアタッチメント。この場合、アタッチメントは装置との連結用接続支持体及び装置から流出する流体を通すためのガイドスクープ底面を有する舌形ガイドスクープを成し、さらにこの場合、装置から流出する流体が渦流を発生するように、ガイドスクープ底面からした流入エレメント、少なくとも１つの流入エレメントがあり、この場合、好ましくは少なくとも２つの、好ましくは平らな、流入エレメントをガイドスクープ底面に向かい合わせて配置し、この場合、好ましくは流入エレメントは三角形、好ましくは直角三角形であって、接続支持体側を向いた流入エレメントの流入面のプロファイルは、好ましくは傾斜して向かい合い、この際、接続支持体の側から見て、対向する流入エレメントの間隔は好ましくはアタッチメントの縦方向に進むにともない（奥に向かって）逓減する。
【００８３】
気流、好ましくは暖気流発生又は流体導入装置用の、人間又は動物の外耳道に少なくとも部分的に挿入して使用するように形成されたアタッチメント。この場合、アタッチメントは、装置との接続用支持体及び装置から流出する流体を通すように形成されたガイドスクープ底面を持つ舌形ガイドスクープを成し、さらにこの場合、ガイドスクープ底面は少なくとも第２の縦方向セクションの領域で第１の縦方向セクションに対して捩れており、この際、好ましくは第１のガイドスクープの縁及び第２のガイドスクープの縁の高さが異なる。
【図面の簡単な説明】
【００８４】
次に本発明を実施例に基づいて詳説する。図面は例示であり、発明の発想を表現すべきものであるが、発明の発想を限定又はこの範囲に限るものではない。各図に示す項目は以下のとおりである。
【００８５】
【図１ａ】第１の実施形態による本発明のアタッチメント。
【図１ｂ】本発明に係るアタッチメントの第１の実施形態の耳漏斗。
【図２ａ】第１の遠近図に表す、耳漏斗付きアタッチメントの第１の実施形態。
【図２ｂ】第２の遠近図に表す、耳漏斗付きアタッチメントの第１の実施形態。
【図３ａ】気流発生又は流体導入用装置に固定されている図２ａ及び２ｂに基づくアタッチメントの縦断面図。
【図３ｂ】図２ａ及び２ｂに基づくアタッチメントの縦断面図。
【図４ａ】Ａ−Ａで切り取った図３ｂに基づくアタッチメントの横断面図。
【図４ｂ】Ｂ−Ｂで切り取った図３ｂに基づくアタッチメントの横断面図。
【図４ｃ】Ｃ−Ｃで切り取った図３ｂに基づくアタッチメントの横断面図。
【図５ａ】耳漏斗無しの第１の実施形態によるアタッチメントを含む本発明の耳乾燥装置。
【図５ｂ】耳漏斗付きの第１の実施形態によるアタッチメントを含む本発明の耳乾燥装置。
【図５ｃ】保護キャップ付き本発明に係る耳乾燥装置。
【図６ａ】本発明に係るアタッチメントで発生させる外耳道内の第１の気流。
【図６ｂ】本発明に係るアタッチメントで発生させる外耳道内の第２の気流。
【図６ｃ】本発明に係るアタッチメントで発生させる外耳道内の第３の気流。
【図７ａ】図１ａの線図。
【図７ｂ】図１ｂの線図。
【図７ｃ】図２ａの線図。
【図７ｄ】図２ｂの線図。
【図８ａ】本発明に係るアタッチメントの凹部付き実施形態の遠近図。
【図８ｂ】図８ａのアタッチメントの側面図。
【図８ｃ】図８ａのアタッチメントを、アタッチメントの縦方向に見た図。
【図８ｄ】図８ｃの部分拡大図。
【図９ａ】出口領域の流体導入用装置の断面図。
【図９ｂ】図９ａの部分拡大図。
【図１０ａ】流体導入用装置と接続する前の、本発明に係るアタッチメントの実施形態。
【図１０ｂ】流体導入用装置と接続した、本発明に係るアタッチメントの実施形態。
【発明を実施するための形態】
【００８６】
以下の説明における「縦断面」という用語は、切断面が図の記号面と平行であって、アタッチメント１の縦軸１２でこの切断面上にある本発明に係るアタッチメント１を切り取った断面を意味する。さらに、「横断面」という用語は、縦断面に対して切断面が直交するアタッチメント１の断面を意味する。
【００８７】
基本的に、本発明に係るアタッチメントの考えうる実施形態はいくつも存在し、この場合、すべての実施形態において、気流がガイドスクープを通るうちに渦流となり、及び／又はガイドスクープの形状のためユーザーの外耳道３の側壁で反射し、外耳道３内部に最適な乾燥効果を与える点が共通する。
【００８８】
本発明に係るアタッチメント１は、第１の実施形態において、接続支持体４及び舌形ガイドスクープ５、さらに耳漏斗１８も含むことが可能であり、この場合、接続支持体４とガイドスクープ５は一体化され、耳漏斗１８と着脱式に接続可能である。本実施形態はとりわけ耳漏斗１８が着脱式であって、アタッチメント１は耳漏斗１８があっても無くても使用可能な点が特徴的である。本実施形態では、必ずしも必須ではない耳漏斗１８は（取り付けた場合）交換が容易であり、接続支持体４とガイドスクープ５から独立的に後付け可能である。この他にも耳漏斗１８が乾燥処理後に交換可能であることは衛生的に非常に有利である。
【００８９】
第２の実施形態において、本発明に係るアタッチメントは接続支持体、ガイドスクープ、さらに耳漏斗を含み、この場合、耳漏斗とガイドスクープは本実施形態において一体化され、耳漏斗とガイドスクープで成すユニットが接続支持体と接続可能である。この場合、アタッチメントを規定通りに使用すると、ユーザーの外耳道３と接触する（こともありうる）アタッチメントの全部品、すなわち耳漏斗とガイドスクープは、別個の交換部品として提供し、接続支持体につなげて使用することができる。このため、耳漏斗とガイドスクープで構成されるユニットを使用の度に交換できるため、本発明に係るアタッチメントを特に衛生的に使用することができる。
【００９０】
第３の実施形態においても、本発明に係るアタッチメントは接続支持体とガイドスクープ、さらに耳漏斗を含み、本実施形態の場合、接続支持体とガイドスクープ、さらに耳漏斗が一体化されている。 このためアタッチメント全体を別個の交換部品として提供し、毎回使用後に交換可能である。 このため、第３の実施形態によるアタッチメントの特に容易かつ衛生的な取り扱いが可能になる。 さらに、アタッチメントは一体であるため、特に容易かつこのため費用効果的に生産可能である。
【００９１】
接続支持体とガイドスクープさらに耳漏斗が個別部品であるような、アタッチメントの実施形態も本発明の発想に含まれている。
【００９２】
以下では、図１から６に示す本発明に係るアタッチメントの第１の実施形態１に基づいて本発明をさらに詳説するが、第２及び第３の実施形態は図１から６に図示していない。
【００９３】
図１ａは、本実施形態では選択的である耳漏斗無しの本発明に係るアタッチメント１の本実施形態の遠近図である。アタッチメント１は、アタッチメント１を気流、好ましくは暖気流発生又は流体導入装置２と接続するための接続支持体４を含む。この場合、接続支持体４はアタッチメント１を装置２に固定するためのアタッチメント１のセクションを形成する。
【００９４】
さらに、アタッチメント１は動物又は人間（以下、「ユーザー」と称する）の外耳道３に、外耳道３の乾燥のために挿入することができる（図６）舌形ガイドスクープ５を含む。ガイドスクープ５は外耳道３への制御された通気及び気流の制御された導入を可能にする。ガイドスクープ５には通気用のガイドスクープ底面２５があり、さらに、気流用の経路又は経路の一部を成すためのガイドスクープの縁２６を含む。
【００９５】
図３ａは、耳漏斗が無い第１の実施形態に従う本発明のアタッチメント１の縦断面図であって、この縦断面は接続支持体４とガイドスクープ５を通る。図３ｂは、図３ａによるアタッチメント１に耳漏斗１８を付けたものを示し、この場合、図３ａと３ｂに表すアタッチメント１は耳漏斗１８も含めて同じ構造である。
【００９６】
本質的にノズル形状の接続支持体４はアタッチメント１を装置２と接続し、装置２からアタッチメント１に気流を流入させる。
【００９７】
この場合、接続支持体４の形状は装置２の出口１５の形状に合う形をしており、気流がこの出口１５を通り、装置２から出て行く。舌形ガイドスクープ５は図示の実施例においては、接続支持体４から突出し、気流をユーザーの外耳道３に向ける（図６）。
【００９８】
図３ａに表したアタッチメント１を外耳道３の乾燥用に規定通りに使用できるために、このアタッチメントはガイドスクープ５で、部分的に又は全体的に、ユーザーの外耳道３に挿入することができる。
【００９９】
図３ａ及び図３ｂから明らかなように、ガイドスクープ５はガイドスクープ底面２５がアタッチメント１の縦軸１２と交わるように配置されている。アタッチメント１の縦軸１２は、図３ａ及び図３ｂに示す縦断面と直交する接続支持体４の横断面の中心を通る。この場合、接続支持体４の横断面は接続支持体４本体のみを示し、特に、接続支持体４の内部に配置されたスクープ５のセクションについては示していない。縦軸１２がその中心を通る接続支持体４の横断面を図４ｃに示す。
【０１００】
ガイドスクープ５のこうした配置によって、気流はユーザーの外耳道３内に所望の乾燥効果のために特に有利な流体の場を調整するように外耳道３に導入される。この構造によって、アタッチメント１から出た気流がユーザーの鼓膜３１に直接当たらないことが確実になる。すなわち、気流は、ガイドスクープ底面２５の近位末端部７ａの上を通って流れ、アタッチメント１から渦流となって出て、及び／又は外耳道３内に最適な乾燥効果を生むために気流が外耳道３の側壁で反射するように外耳道３内に導入される。好ましくはガイドスクープ底面２５は縦軸１２とはユーザーの鼓膜３１に近いため、アタッチメント１の近位末端領域で交差する。
【０１０１】
さらに図３ａ及び図３ｂに見て取れるように、ガイドスクープ底面２５は湾曲した縦断面を成し、この断面は、図４ａ及び図４ｂに示すガイドスクープ底面２５の横断面と直交する。接続支持体４から突出したガイドスクープ５の第１セクション５ａのガイドスクープ底面２５は第１の方向に湾曲した断面のプロファイルを成し、接続支持体４から突出したガイドスクープ５の第２セクション５ｂのガイドスクープ底面２５は第２の方向に湾曲した縦断面のプロファイルを成し、この場合、両方の湾曲したセクション５ａ、５ｂは逆向きに反った形で湾曲した面である。図３ａ及び図３ｂに示す実施例において、第２セクション５ｂはガイドスクープ５の近位末端部７を成す。
【０１０２】
以上より、ガイドスクープ５は少なくとも１つの第１の頂点１３と第２の頂点１４を成す。ガイドスクープ５のこうした特殊なプロファイルのため、外耳道３内部では気流の特に有利な流れの配分を実現できる。本発明の本実施形態において、特に、縦断面のプロファイルが平坦なガイドスクープ５を含むアタッチメントと比較すると、特に良好な乾燥結果を得ることができた。この際、特に有利な点は、接続支持体４の側から見て、ガイドスクープ底面２５と接するガイドスクープ底面２５の第１セクション５ａが成す接線の勾配が、接続支持体４から奥に進むに従い逓減し、ガイドスクープ底面２５の第２セクション５ｂにおいては接続支持体４から奥に進むに従い逓増することである。
【０１０３】
ガイドスクープ５は接続支持体４の中を通過するセクション５ｃを成し、この場合、セクション５ｃはユーザーの鼓膜３１から遠い側にあるためガイドスクープ５の遠位末端部６を成す。セクション５ｃはガイドスクープ５のセクション５ａと接続する。装置２から出てアタッチメント１に流れ込む気流の横断面を見ると、接続支持体４の中を通るガイドスクープ５のセクション５ｃと接続支持体４が境界を成す。このため、気流全量のうち、接続支持体４からガイドスクープ５に妨害されることなく伝わるべき部分が調整可能となる。このため特に、気流を気流横断面の逓減に従わせ、例えば、子供向けアタッチメントの気流横断面の逓減を成人向けアタッチメントより緩やかにできる。さらに、接続支持体４の中を通るガイドスクープ５のセクション５ｃによって、装置２から出てアタッチメント１に流入する気流が接続支持体４領域ですでに把捉されるため、気流の向きはアタッチメント１に進入すると直ちに向きが適切に制御される。
【０１０４】
ガイドスクープ底面２５の縦方向縁１６のうち２つのガイドスクープの縁、すなわち第１のガイドスクープの縁２６と第２のガイドスクープの縁２７はガイドスクープ底面２５から突出し、ガイドスクープ底面２５とともに気流用の経路１０又は経路１０の一部を成すことができる。ガイドスクープの縁２６、２７がガイドスクープ５の全長ではなく、縦方向セクションでのみ、ガイドスクープ底面２５から突出している場合は、ガイドスクープ底面２５とガイドスクープの縁２６、２７は経路１０の一部を成す。ガイドスクープ底面２５とガイドスクープの縁２６、２７で成す気流の経路１０の容積は、ガイドスクープ底面２５と第１のガイドスクープの縁２６、他方では第２のガイドスクープの縁２７が境界となって形成されている。経路１０によって、アタッチメント１内で気流の方向が一定で制御された通過、さらに、外耳道３への気流の制御された導入がさらに改善される。耳漏斗付きの実施形態、例えば、図３ｂに示す耳漏斗１８付きアタッチメント１の第１の実施形態の場合にも、ガイドスクープの縁２６、２７の使用により、耳漏斗１８の内壁での気流の意図していない反射を防止できる構成とする。
【０１０５】
図４ａは、図３ｂの切線Ａ−Ａで切り取った本発明に係るアタッチメント１の横断面である。図４ｂは、図３ｂの切線Ｂ−Ｂで切り取った横断面を示す。両方の場合において、この横断面は、ガイドスクープ５のそれぞれ耳漏斗１８及びガイドスクープ底面２５を通る。図４ｃは、図３ｂの切線Ｃ−Ｃで切り取った接続支持体４の横断面を示す。
【０１０６】
図４ａ、４ｂに見られる通り、図の実施例において、ガイドスクープ底面２５は好ましくはU型に湾曲した横断面のプロファイルを成す。この際、ガイドスクープ底面２５の横断面はガイドスクープ５の全長にわたって、若干U型に湾曲している。この際、湾曲はガイドスクープ５の片側末端部からガイドスクープ５の反対側末端部へ逓増又は逓減する構成とすることができる。ガイドスクープ底面２５の横断面が、ガイドスクープ５の全長ではなく、ガイドスクープ５の縦方向セクションでのみ湾曲する構成とすることも可能である。ガイドスクープ底面２５の横断面プロファイルはU字型湾曲以外の形状も可能である。図４ａ及び図４ｂは図３ｂによる耳漏斗１８付きアタッチメント１の横断面を示す。しかし、図３ｂに示すアタッチメント１は耳漏斗１８を除き、図３ａに示すアタッチメント１と同じであるため、上記の説明は、ガイドスクープ底面２５の湾曲した横断面プロファイルに関して、図３ａによる耳漏斗１８無しのアタッチメント１の第１の実施形態にも該当する。
【０１０７】
第１の実施形態によるアタッチメント１は、耳漏斗１８無し又は有りで、外耳道３に挿入し、外耳道３の乾燥のために規定通りに使用することができる。
【０１０８】
図１ａ及び図３ａに示すアタッチメント１は、図１ｂに遠近図を示す耳漏斗１８と着脱式に接続されるため、図２ａ、図２ｂ、及び図３ｂに示すアタッチメント１、すなわち耳漏斗１８付きの第１の実施形態によるアタッチメント１を得る。このために、耳漏斗１８を接続支持体４に押し付ける、又は他の方法でこの支持体と又はガイドスクープと接続することができる。上記の第３のガイドスクープと接続されたアタッチメント１の他の実施形態、すなわち、上述の第３の実施形態の場合、接続支持体４は、１つの末端部、好ましくは耳漏斗１８の遠位末端部によって形成することが可能である。
【０１０９】
耳漏斗１８付きのアタッチメント１の第１の実施形態において、耳漏斗１８は接続支持体４と着脱式に接続可能であり、この支持体から、ガイドスクープ５の全長が耳漏斗１８及びこれに続く接続支持体４により覆われるように突出している。耳漏斗１８と接続支持体４は、ガイドスクープ５の１つの縦方向セクションのみを覆うため、ガイドスクープ５が耳漏斗１８から突出する構成とすることも可能である。図１ｂに示す耳漏斗１８は前記の実施例において、排出口２４まで回転対称であって、この場合、アタッチメント１の縦軸１２が耳漏斗１８の対応する回転軸を成す。
【０１１０】
図２ａ、図２ｂ、図３ｂ、図４ａ、図４ｂ、及び図４ｃを見ると明らかなように、耳漏斗１８の横断面は接続支持体４から耳漏斗１８の近位開口部１９まで逓減する。この開口部を用いて耳漏斗１８はアタッチメント１を規定通りに使用して耳道３に挿入されている。こうした横断面の逓減により、アタッチメント１の外耳道３への挿入深さを決めることができる。このため、例えば、アタッチメント１から約１５ｍｍ、好ましくは約１０ｍｍまで、ユーザーの鼓膜３１に近づけることができるようになる。
【０１１１】
ガイドスクープ５の近位末端部７又はガイドスクープ底面２５の近位末端部７ａは、本質的に耳漏斗１８の近位開口部１９と結合されている。この配置により、ガイドスクープ底面２５の近位末端部７ａは、耳漏斗１８の近位開口部１９内にあり、この開口部をアタッチメントから外耳道３に流入する空気用の流出開口部２２及び流入開口部２３に分割され、この流入開口部２３を通って空気は外耳道３から再びアタッチメント１に流れ込む。
【０１１２】
耳漏斗付きアタッチメントの実施形態、例えば、ガイドスクープ５がアタッチメント１の接続支持体４から突出しているか、これと接続されている耳漏斗１８付きアタッチメント１の第１の実施形態の場合、ガイドスクープ５は本質的に耳漏斗１８の全長にわたる。このため、乾燥用気流は耳漏斗１８の全長を流れ、非常に制御され、外耳道３や鼓膜の損傷リスク無しに外耳道に流入することができる。
【０１１３】
乾燥効率をさらに高めるために、流出開口部２２を流入開口部２３より小さく加工することが可能である。例えば、流出開口部２２は近位開口部１９の３分の１を占め、流入開口部２３が近位開口部１９の３分の２を占めることが可能である。
【０１１４】
耳漏斗１８の近位開口部１９は通常の場合、接続支持体４の遠位開口部２９より小さいため、アタッチメント１から出る気流の出口速度が増加して、気流による乾燥がさらに維持され、湿った空気は確実に耳道３から、特に速く、完全に排出される。接続支持体４の遠位開口部を通り、気流は装置２からアタッチメント１に流れ込む。
【０１１５】
耳漏斗１８付きアタッチメント１の第１の実施形態の場合のような、耳漏斗付きアタッチメントの実施形態の場合、耳漏斗１８の容量はガイドスクープ底面２５によって、また場合によっては第１のガイドスクープの縁２６と第２のガイドスクープの縁２７によって、入気路２０と排気路２１に分かれる。このために、ガイドスクープ底面２５の縦方向縁１６又は、ある場合はこれと接続されたガイドスクープの縁２６、２７は、耳漏斗１８とその全長で又は部分的にのみ直接接触するか、又は耳漏斗１８から僅かに離れたものとすることが可能である。ガイドスクープ５の全長で接触する場合、入気路２０と排気路２１間は流体学的に絶縁される。ガイドスクープ５と耳漏斗１８が部分的にのみ接触しているか、間隙がある場合、すなわち完全に分離できないとしても、入気路２０に入った空気が排気路２１に入る空気と混ざることはほぼ阻止できる。
【０１１６】
入気路２０は接続支持体４の遠位開口部２９と流出開口部２２を接続する。排気路２１は耳漏斗１８の流入開口部２３と耳漏斗１８の下側にこの筐体の切り欠き部として開けられたアタッチメント１の排出口２４を接続する。この構造において、入気路２０は装置２によって生じた気流又は流体流がユーザーの外耳道３に流入することを可能にし、排気路２１は外耳道３の乾燥に使用された空気又は洗浄又は処置のために使用された流体が外耳道３から大気内へ排出することを可能にする。
【０１１７】
本発明に係るアタッチメント１を外耳道３に挿入するとき、又は入れた状態で、アタッチメント１の規定通りの使用時にガイドスクープ５が変形しないようにするため、耳漏斗１８が接続支持体４及び／又はガイドスクープ５より硬く作られている、好ましくは接続支持体４及び／又はスクープ５より柔軟ではなく作られた構成とすることが可能である。この措置により、耳漏斗１８は、特に、ガイドスクープ５を変形から保護する。例えば、耳漏斗１８はポリエチレン又はポリプロピレン製であってもよく、接続支持体４とガイドスクープ５は熱可塑性エラストマー又はシリコーン製とすることが可能である。
【０１１８】
図３ａはアタッチメント１が装置２（図５ａ、５ｂ、５ｃも参照）と接続され、接続位置にあるアタッチメント１を示す。
【０１１９】
接続のために、アタッチメント１は接続支持体４とセクション毎に装置２の出口１５に挿入されている。接続支持体４の装置側終端部分の嵌合突起部１７は装置２の保持部３４と嵌合しており、装置２とアタッチメント１の接続が不意に緩まないようにしている（例えば、図６ａ又は図９ｂ参照）。原則的に、アタッチメント１と装置２の接続方法は数多く考えうる。このため装置２から出る気流又は液流は、アタッチメント１流入に流れ込むと最初に、アタッチメント１の接続支持体４を通過する。このことは、接続支持体４が出口１５に挿入されておらず、他の方法で装置２と接続されている、例えば、この装置に挿入されている場合にも該当する。
【０１２０】
接続支持体４の周囲に、少なくとも部分的に、囲むように配置したスペーサー２８は装置２の筐体に当たり、このため、接続支持体４が必要以上に深く出口１５に挿入されない構成とする。耳漏斗付きアタッチメントの実施形態の場合、図３ｂに示すような耳漏斗１８付き第１の実施形態の場合、接続の際、耳漏斗１８を接続支持体４に挿入すると、スペーサー２８に当たることが可能である。このとき、接続支持体４と耳漏斗１８は圧入による嵌合で相互に接続されているが、相互に嵌め合わさる嵌合溝と嵌合突起による方法等、他の接続方法も考えられる。
【０１２１】
図５ａは、気流発生装置２と本発明に係るアタッチメントの第１の実施形態による本発明のアタッチメント１から成る本発明の耳乾燥装置を示し、この場合、耳漏斗１８は接続支持体４とガイドスクープ５の一体ユニットから取り外した状態であって、図示していない。
【０１２２】
装置２は好ましくは耳の乾燥専用に設計され、好ましくは携帯可能に制作することが可能である。
【０１２３】
図５ｂは、気流発生装置２及び耳漏斗１８付き本発明に係るアタッチメント１から成る本発明の耳乾燥装置を示す。
【０１２４】
図５ｃは、図５ａ又は５ｂに基づく本発明に係る耳乾燥装置を示す。この場合、アタッチメント１に保護キャップ３０が被さっており、このキャップは装置２の移動中、特にアタッチメント１を保護する。
【０１２５】
図６ａは、アタッチメント１によって条件付けられる本発明に係る装置使用中の気流の流れ方を示す概念図である。この場合、図中の外耳道３内の気流の流れ方は、本発明に係るアタッチメント１の具体的実施形態とは独立的に、一様である。外耳道３内にアタッチメント１を比較的深く挿入するため、アタッチメント１から出た気流は側壁８、９で反射しない。気流は、ガイドスクープ５があるためアタッチメント１から出るとき渦流になるため、外耳道３の中に乾燥のために有利な渦巻場に調整される。
【０１２６】
図６ｂも、耳道３に挿入したアタッチメント１を示すが、挿入深さが図６ａより浅い。こうして外耳道３内部に他の流れが発生するが、この流れもアタッチメント１の選択した実施形態から独立的である。この場合、アタッチメント１から出た気流は外耳道３の側壁８、９に反射するため、外耳道３の中に乾燥のために有利な渦巻場に調整される。
【０１２７】
図６ｃは、耳道３に挿入したアタッチメント１を示すが、この場合は、耳乾燥装置は異なる使用パラメータを用いて使用するため、アタッチメント１から出ていく気流の排気角が異なる。こうして外耳道３内部に他の流れが発生するが、この流れもアタッチメント１の選択した実施形態から独立的である。この場合にも、アタッチメント１から出た気流は外耳道３の側壁８、９に反射するため、外耳道３の中に乾燥のために有利な渦巻場に調整される。
【０１２８】
図７ａ、図７ｂ、図７ｃ、及び図７ｄは図１ａ、図１ｂ、図２ａ、及び図２ｂのそれぞれ線図である。
【０１２９】
図８ａ、図８ｂ、図８ｃ、及び図８ｄは、本発明に係るアタッチメント１の第４の実施形態を示す。第１、第２、及び第３の実施形態に関する上記の全説明はここに説明する第４の実施形態にも該当する。
【０１３０】
さらに、第４の実施形態のアタッチメントの接続支持体４には複数の凹部３２を有する。この場合、凹部は接続支持体４の装置側終端部分に配置され、この終端部分は嵌合突起部１７も成す。図８ｃと８ｄを見てわかるように、凹部３２は角度間隔４５°で配置され、これに対応して、合計８個の凹部３２が接続支持体４の終端部分に配置されている。
【０１３１】
アタッチメント１を装置２と接続するために、アタッチメント１を接続支持体４の終端部分で装置２の出口１５に挿入すると、装置２の保持部３４と嵌合している接続支持体４の嵌合突起部１７は装置２からアタッチメント１が不意に外れるのを防止するが、アタッチメント１は装置２に対して任意の位置に回すことができるため、回した位置に応じて、ガイドスクープ５を多様な方向に向けることができる。アタッチメント１を装置２の特定の旋回位置に固定するために、装置２は、好ましくは出口１５  領域に、少なくとも１つのロック凸部）３３（図９ａと９ｂ）があり、このロック凸部３３が凹部３２に嵌合できる構成となっている。このため凹部３２は装置２に対するアタッチメント１の好ましい旋回位置を示す。
【０１３２】
図１０ａは、液体、例えば、空気、水又は他のケア用液体又は治療液の導入用装置２と接続する前のアタッチメント１を示す。アタッチメント１と装置２を接続するためには、図１０ｂに示すように、アタッチメント１の装置側終端部分を出口１５に挿入することができる。装置２の保持部３４はアタッチメント１が装置２から不意に外れないようにする。ロック凸部３３はアタッチメント１の凹部３２に対応する特定の旋回位置において各凹部３２と嵌合して、アタッチメント１を対応する旋回位置に固定する。アタッチメント１を回してこの旋回位置から外し、アタッチメント１を他の旋回位置に回すことができ、この位置でロック凸部３３は他の凹部３２と嵌合可能である。
【０１３３】
図１１ａと１１ｂは本発明に係るアタッチメント１の第５の実施形態を示す。第１、第２、第３、第４の実施形態に関する上記の全説明はここに説明する第５の実施形態にも該当する。このほか、アタッチメント１のガイドスクープ５のガイドスクープ底面２５に２つの流入エレメント３５を配置している。
【０１３４】
この場合、これらの流入エレメント３５は、図１１ａとから明らかなように直角三角形であって、ガイドスクープ５のほぼ中央縦方向セクションに配置されている。流入エレメント３５の流入面は、接続支持体４を通りアタッチメント１に流れ込む流体に対向しており、好ましくは流れてくる液体流の流れを横断するため、流体の流れを阻害し、渦流を発生させる。この際、耳道に入った流体が１つ又は複数の渦流３６（渦巻）を発生する。図１１ｂから明らかなように、流入エレメント３５は、流入エレメント３５が向き合いつつ、流入エレメント３５間の間隙がガイドスクープ５の近位末端部７に向かうに連れて逓減するようガイドスクープ底面２５に配置されている。
【０１３５】
図１２ａ、１２ｂ、１３ａ、１３ｂ、１３ｃは本発明に係るアタッチメント１の第６の実施形態を示す。上記の第１、第２、第３、第４、第５の実施形態に関する全説明は、ここに説明する第６の実施形態にも該当する。さらに、この実施形態のガイドスクープ底面２５は上記の実施形態の他の場合のような対称配置ではなく、非対称に形成されている。
【０１３６】
この非対称性は、ガイドスクープの縁２６、２７の対向するセクションの高さを変える、又は、ガイドスクープ底面２５をガイドスクープ底面２５の第２の縦方向セクションの領域で第１の縦方向セクションに対してずれている及び／又は回っていることによって実現可能である。特に、第２の方向に湾曲したガイドスクープ２５の第２セクション５ｂは図のようにガイドスクープ２５の第１の方向に湾曲した第１セクション５ａに対して捻れた状態とすることができる。
【符号の説明】
【０１３７】
１  アタッチメント
２  装置
３  外耳道
４  接続支持体
５  舌形ガイドスクープ
５ａ  ガイドスクープの第１セクション
５ｂ  ガイドスクープの第２セクション
５ｃ  ガイドスクープの接続支持体内のセクション
６  ガイドスクープの遠位末端部
７  ガイドスクープの近位末端部
７ａ  ガイドスクープ底面の近位末端部
８  耳道の側壁上部
９  耳道の側壁下部
１０  経路
１１  外耳道陥凹
１２  縦軸
１３  第１の頂点
１４  第２の頂点
１５  出口
１６  縦方向縁
１７  嵌合突起部
１８  耳漏斗
１９  近位開口部
２０  入気路
２１  排気路
２２  流出開口部
２３  流入開口部
２４  排出口
２５  ガイドスクープ底面
２６  第１のガイドスクープの縁
２７  第２のガイドスクープの縁
２８  スペーサー
２９  接続支持体の遠位開口部
３０  保護キャップ
３１  鼓膜
３２  凹部
３３  ロック凸部
３４  保持部
３５  流入エレメント
３６  渦流
【手続補正２】
【補正対象書類名】特許請求の範囲
【補正対象項目名】全文
【補正方法】変更
【補正の内容】
【特許請求の範囲】
【請求項１】
気流、好ましくは暖気流発生、又は流体導入用装置（２）用として使用され、少なくとも部分的に人間又は動物の外耳道（３）に挿入され、
−気流発生装置（２）との接続用接続支持体（４）を成し、以下の特徴を有する：  アタッチメント（１）が
−気流発生装置（２）からの排気又は液体の排出用に空気を導くガイドスクープ底面（２５）を有し、接続支持体（４）から突出した舌形ガイドスクープ（５）を備え、
この場合、ガイドスクープ（５）が接続支持体（４）に気流又は液体の流れる方向において下流に設置されており、ガイドスクープ（５）の第１セクション（５ａ）のガイドスクープ底面（２５）縦断面のプロファイルが、第１の方向に湾曲し、ガイドスクープ（５）の第２セクション（５ｂ）のガイドスクープ底面（２５）縦断面のプロファイルは第２の方向に湾曲し、これら両者の湾曲したセクション（５ａ、５ｂ）が逆向きに反った面をなす、湾曲したプロファイルをなすアタッチメント。
【請求項２】
第１セクション（５ａ）と第２セクション（５ｂ）が直結して推移することを特徴とする、請求項１に記載のアタッチメント（１）。
【請求項３】
耳漏斗（１８）が舌形ガイドスクープ（５）を少なくとも部分的に、好ましくは全長にわたって、その長さに応じて包含し、近位開口部（１９）を有する（所定の使い方においてこの近位開口部側からアタッチメントを外耳道に挿入または取り付け、近位開口部が耳漏斗の直近開口を成し、同時に、耳漏斗が接続支持体と接続し、この支持体から突出しているかあるいは接続支持体が耳漏斗の終端セクションを成す）アタッチメント（１）に耳漏斗（１８）を含むことを特徴とする、請求項１又は２に記載のアタッチメント（１）。
【請求項４】
アタッチメント（１）の縦断面について見ると、ガイドスクープ底面（２５）がアタッチメント（１）の縦軸（１２）と交わり、この縦軸（１２）が縦断面と直交する接続支持体（４）の横断面の中心を通ることを特徴とする、請求項１から３のいずれか一項に記載のアタッチメント（１）。
【請求項５】
アタッチメント（１）の縦断面について見ると、ガイドスクープ底面（２５）が耳漏斗（１８）の縦軸（１２）と交わり、この縦軸（１２）が耳漏斗（１８）の近位開口部（１９）の中心を通ることを特徴とする、請求項３から４のいずれか一項に記載のアタッチメント（１）。
【請求項６】
耳漏斗（１８）の縦軸（１２）がアタッチメント（１）の縦軸（１２）と一致していることを特徴とする、請求項５に記載のアタッチメント（１）。
【請求項７】
舌形ガイドスクープ（５）は、ガイドスクープ底面（２５）から突出した２つのガイドスクープの縁を持つ、すなわち、第１のガイドスクープの縁（２６）と第２のガイドスクープの縁（２７）を持ち、この場合、ガイドスクープ底面（２５）とガイドスクープの縁（２６、２７）が気流発生装置（２）からの排気用経路又は経路の一部を成すことを特徴とする、請求項１から６のいずれか一項に記載のアタッチメント（１）。
【請求項８】
第１のガイドスクープの縁（２６）はガイドスクープ底面（２５）の第１の縦方向縁から、また、第２のガイドスクープの縁（２７）が第１の縦方向縁と対向するガイドスクープ底面（２５）の第２の縦方向縁から突出していることを特徴とする、請求項７に記載のアタッチメント（１）。
【請求項９】
舌形ガイドスクープ（５）が接続支持体（４）から突出し、好ましくは接続支持体（４）の中を通るセクション（５ｃ）から突出していることを特徴とする、請求項１から８のいずれか一項に記載のアタッチメント（１）。
【請求項１０】
舌形ガイドスクープ（５）全体が耳漏斗（１８）及び／又は接続支持体（４）の中に配置されていることを特徴とする、請求項３から９のいずれか一項に記載のアタッチメント（１）。
【請求項１１】
耳漏斗（１８）が接続支持体（４）から耳漏斗（１８）の近位開口部（１９）へ向かって逓減的に細くなることを特徴とする、請求項３から１０のいずれか一項に記載のアタッチメント（１）。
【請求項１２】
ガイドスクープ（５）の近位末端部（７）（所定の使い方においてこの近位開口部（７）側からアタッチメントを外耳道に挿入または取り付け、近位開口部が耳漏斗の直近開口を成す）、好ましくはガイドスクープ底面（２５）の近位末端部（７ａ）が本質的に耳漏斗（１８）の近位開口部（１９）の内側と一体となっていることを特徴とする、請求項３から１１のいずれか一項に記載のアタッチメント（１）。
【請求項１３】
ガイドスクープ（５）の近位末端部（７）、好ましくはガイドスクープ底面（２５）の近位末端部（７ａ）が、耳漏斗（１８）の近位開口部（１９）をアタッチメント（１）から出て耳道（３）に出て流出開口部（２２）と耳道（３）からアタッチメント（１）に流れ込む空気の流入開口部（２３）に分割することを特徴とする、請求項１２に記載のアタッチメント（１）。
【請求項１４】
舌形ガイドスクープ（５）は、耳漏斗（１８）の内部容量をアタッチメント（１）から耳道（３）に入る空気の入気路（２０）と耳道（３）からアタッチメント（１）への排気路（２１）に分割し、この場合、好ましくは入気路（２０）が接続支持体（４）を流出開口部（２２）と連絡し、さらにこの場合、好ましくは排気路（２１）が流入開口部（２３）をアタッチメント（１）の排出口（２４）と連絡することを特徴とする、請求項３から１３のいずれか一項に記載のアタッチメント（１）。
【請求項１５】
入気路（２０）の横断面が流れる方向に進むにつれて（逓減的に）細くなることを特徴とする、請求項１４に記載のアタッチメント（１）。
【請求項１６】
アタッチメント（１）の排出口（２４）が耳漏斗（１８）の筐体壁面の、好ましくは耳漏斗（１８）の接続支持体（４）の直前にあるセクションの開口部を通ることを特徴とする、請求項３から１５のいずれか一項に記載のアタッチメント（１）。
【請求項１７】
以下の３つの点を特徴とする、請求項３から１６のいずれか一項に記載のアタッチメント（１）： 
−接続支持体（４）とガイドスクープ（５）が一体であり、好ましくは耳漏斗（１８）とユニットとして接続されている、又は
−耳漏斗（１８）とガイドスクープ（５）が一体であり、好ましくは接続支持体（４）とユニットとして接続されている、又は
−接続支持体（４）、ガイドスクープ（５）、耳漏斗（１８）が一体である、アタッチメント（１）。
【請求項１８】
接続支持体（４）が耳漏斗（１８）の終端部分から形成されていることを特徴とする、請求項３から１７のいずれか一項に記載のアタッチメント（１）。
【請求項１９】
気流発生装置（２）と、前記請求項のいずれかに係るアタッチメント（１）を備える、耳乾燥装置。
【請求項２０】
流体導入用装置と、請求項１から１８のいずれか一項に記載のアタッチメント（１）とを備える、人間若しくは動物の外耳道のケア又は治療用装置。
【請求項２１】
接続支持体（４）がアタッチメント（１）を旋回可能に装置（２）と接続するように作られていることを特徴とする、請求項１から１８のいずれか一項に記載のアタッチメント（１）。
【請求項２２】
アタッチメント（１）を特定の旋回位置で装置（２）に固定するために、接続支持体（４）の筐体外面に少なくとも１つの凹部（３２）があり、この凹部（３２）が装置（２）の少なくとも１つのロック凸部（３３）と嵌合可能であることを特徴とする、請求項２１に記載のアタッチメント（１）。
【請求項２３】
アタッチメント（１）を異なる旋回位置で装置（２）に固定するために、複数の凹部（３２）が接続支持体（４）の筐体外面に相互に間隔を置いて配置されていることを特徴とする、請求項２２に記載のアタッチメント（１）。
【請求項２４】
凹部（３２）どうしが角度間隔１８０°、好ましくは９０°、特に好ましくは４５°で配置されていることを特徴とする、請求項２３に記載のアタッチメント（１）。
【請求項２５】
装置（２）から出る液体に渦流を起こすために、ガイドスクープ底面（２５）から突出した少なくとも１つの流入エレメント（３５）を有することを特徴とする、請求項１から１８、２１から２４のいずれか一項に記載のアタッチメント（１）。
【請求項２６】
相互に対向してガイドスクープ底面（２５）に配置されている少なくとも２つの、好ましくは平坦な流入エレメント（３５）を持つことを特徴とする、請求項２５に記載のアタッチメント（１）。
【請求項２７】
流入エレメント（３５）が三角形、好ましくは直角三角形であることを特徴とする、請求項２５又は２６のいずれか一項に記載のアタッチメント（１）。
【請求項２８】
流入エレメント（３５）の接続支持体に向かっている流入面が斜めに傾いて向かい合ったプロファイルをなすことを特徴とする、請求項２６又は２７のいずれか一項に記載のアタッチメント（１）。
【請求項２９】
接続支持体（４）側から見たとき、向かい合っている流入エレメント（３５）の間隔がアタッチメント（１）の奥に向かうにつれて逓減することを特徴とする、請求項２６から２８のいずれか一項に記載のアタッチメント（１）。
【請求項３０】
ガイドスクープ底面（２５）が少なくともガイドスクープ（５）の第２の縦方向セクション、好ましくは第２セクション（５ｂ）の領域において、ガイドスクープ（５）の第１の縦方向セクション、好ましくはその第１セクション（５ａ）に対して回った位置にあることを特徴とする、請求項１から１８及び２１から２９のいずれか一項に記載のアタッチメント（１）。
【請求項３１】
請求項７に依存する範囲で、第１のガイドスクープの縁（２６）と第２のガイドスクープの縁（２７）の高さが異なることを特徴とする、請求項７から１８、２１から３０のうち一項目に該当するアタッチメント（１）。
【国際調査報告】
2021531145.tif 000037
2021531145.tif 000038
2021531145.tif 000039
2021531145.tif 000040
2021531145.tif 000041
2021531145.tif 000042